(57)【要約】      （修正有）【課題】煙、一酸化炭素を検出するハザード検出器において、様々なステータス情報の提示を可能にするハザード検出器を提供する。【解決手段】ハザード検出器２００は、あるタイプの危険の存在を検出するハザード検出センサを含んでもよい。ハザード検出器は、発光体１４０と、ハザード検出器の周囲環境における明るさレベルを検知する光センサ１３０と、光センサからハザード検出器の周囲環境における明るさレベルの指示を受信するよう構成される処理システム１１０を含む。処理システムは、ハザード検出器の周囲環境における明るさレベルがしきい値に到達したと判断してもよい。ハザード検出器の１つ以上のコンポーネントのステータスチェックが実行されてもよい。処理システムは、ハザード検出器の周囲環境における明るさレベルがしきい値に到達したと判断されることに応答して、選択された発光状態を用いて、発光体を発光させてもよい。【選択図】図２
2019125377.tif 000002
【特許請求の範囲】
【請求項１】
少なくとも１つのタイプの危険の存在を検出する少なくとも１つのハザード検出センサと；
前記ハザード検出器の周囲環境において明るさレベルを検知する光センサと；
発光体と；
前記少なくとも１つのハザード検出センサ、 前記光センサ、および前記発光体と作動
的通信状態において提供される処理システムとを含み、前記処理システムは：
前記光センサから前記ハザード検出器の前記周囲環境における前記明るさレベルの指示を受信し；
前記ハザード検出器の前記周囲環境における前記明るさレベルがしきい値に到達したと判断し；
前記ハザード検出器の１つ以上のコンポーネントのステータスチェックを実行し；
前記ステータスチェックに基いて、複数の発光状態から、ある発光状態を選択するよう構成され、前記複数の発光状態の各発光状態は前記ハザード検出器と関連付けられるステータスに割当てられ；前記処理システムはさらに、
前記ハザード検出器の前記周囲環境における前記明るさレベルが前記しきい値に到達したと判断されることに応答して、前記複数の発光状態のうちの前記選択された発光状態を用いて、前記発光体を発光させるよう構成される、ハザード検出器。
【請求項２】
前記少なくとも１つのハザード検出センサは煙検出センサおよび一酸化炭素検出センサを含む、請求項１に記載のハザード検出器。
【請求項３】
前記処理システムが、前記ハザード検出器の前記１つ以上のコンポーネントの前記ステータスチェックを実行するように構成されることは、前記処理システムが、
前記ハザード検出器のバッテリのバッテリ電荷がしきい値電荷レベルより下であると判断するよう構成されることを含み、前記発光状態は低いバッテリ状態を示す、請求項１に記載のハザード検出器。
【請求項４】
前記複数の発光状態の各発光状態は少なくとも色およびアニメーションパターンを含む、請求項１に記載のハザード検出器。
【請求項５】
前記処理システムは、前記発光状態に：
少なくとも０．５秒間前記発光体の明るさレベルを徐々に増大すること；
少なくとも０．５秒間前記発光体の前記明るさレベルを維持すること；および
少なくとも０．５秒間前記発光体の前記明るさレベルを徐々に低減することを含ませるように構成される、請求項１に記載のハザード検出器。
【請求項６】
無線ネットワークと通信するように構成された無線トランシーバをさらに含み、
前記処理システムは、さらに、前記無線トランシーバおよびインターネットを介してアクセス可能なリモートサーバシステムに要求を送信するよう構成される、請求項１に記載のハザード検出器。
【請求項７】
前記処理システムは、さらに、
前記無線トランシーバを介して前記リモートサーバシステムから通知を受信するよう構成され、前記発光状態は、前記ハザード検出器の前記１つ以上のコンポーネントの前記ステータスチェックと、前記無線トランシーバを介して受信される前記リモートサーバシステムからの前記通知とに基いて、前記処理システムによって選択される、請求項６に記載のハザード検出器。
【請求項８】
前記発光体は、円形パターンで前記ハザード検出器から光を出力する複数の発光ダイオード（ＬＥＤ）を含む、請求項１に記載のハザード検出器。
【請求項９】
前記ハザード検出器の機能を開始するようユーザによって作動されるように構成されたボタンをさらに含み、
前記複数のＬＥＤは前記ボタンを取囲む円形パターンで前記ハザード検出器から光を出力するよう構成される、請求項８に記載のハザード検出器。
【請求項１０】
前記処理システムはさらに、
前記ハザード検出器の前記周囲環境における前記明るさレベルが前記しきい値に到達したことを照明状態が示すと判断されることに応答して前記発光体を先に発光させてから少なくともしきい値時間期間が経過したかどうか判断し；
前記発光状態と、さらに、少なくとも前記しきい値時間期間が経過したと判断されることとに基いて、前記発光体を発光させるよう構成される、請求項１に記載のハザード検出器。
【請求項１１】
前記ハザード検出器の前記周囲環境において動作を検知するモーション検出センサをさらに含み、
前記処理システムはさらに：
動作が前記ハザード検出器の前記周囲環境にあることを前記モーション検出器が示すことと、前記ハザード検出器の前記周囲環境における前記明るさレベルが前記しきい値に到達したことを前記照明状態が示すこととに基いて、前記発光体を発光させるよう構成される、請求項１に記載のハザード検出器。
【請求項１２】
前記処理システムはさらに：
動作が前記ハザード検出器の前記周囲環境にあることを前記モーション検出器が示すことと、前記ハザード検出器の前記周囲環境における前記明るさレベルが前記しきい値に到達したことを前記照明状態が示すことと、前記処理システムによって記憶されるユーザ定義される設定が、前記ハザード検出器は寝室の内部にないことを示すこととに基いて、前記発光体を発光させるよう構成される、請求項１１に記載のハザード検出器。
【請求項１３】
ハザード検出器のステータスを出力するための方法であって、
前記ハザード検出器によって前記ハザード検出器の周囲環境における明るさレベルを測定することと；
前記ハザード検出器によって、前記ハザード検出器の前記周囲環境における前記明るさレベルは記憶されたしきい値に到達したと判断することと；
前記ハザード検出器によって、前記ハザード検出器の１つ以上のコンポーネントのステータスチェックを実行することと；
前記ハザード検出器によって、前記ステータスチェックに基いて、複数の発光状態から、ある発光状態を選択することとを含み、前記複数の発光状態の各発光状態は前記ハザード検出器と関連付けられるステータスに割当てられ；前記方法はさらに、
前記ハザード検出器の前記周囲環境における前記明るさレベルが前記しきい値に到達したと判断されることに応答して、前記複数の発光状態のうちの前記選択された発光状態を用いて、前記ハザード検出器の発光体を前記ハザード検出器によって発光させることを含む、ハザード検出器のステータスを出力するための方法。
【請求項１４】
前記ハザード検出器は煙検出センサおよび一酸化炭素検出センサを含み、前記ハザード検出器の１つ以上のコンポーネントの前記ステータスチェックを実行することは、前記煙検出センサおよび前記一酸化炭素検出センサのステータスをチェックすることを含む、請求項１３に記載のハザード検出器のステータスを出力するための方法。
【請求項１５】
前記ハザード検出器によって無線ネットワークと無線で通信して、前記無線トランシーバおよびインターネットを介してアクセス可能なリモートサーバシステムに要求を送信することをさらに含む、請求項１３に記載のハザード検出器のステータスを出力するための方法。
【請求項１６】
前記ハザード検出器によって、前記無線ネットワークを介して、前記リモートサーバシステムから通知を受信することをさらに含み、
前記発光状態は、前記ハザード検出器の前記１つ以上のコンポーネントの前記ステータスチェックと、前記無線ネットワークを介して受信される前記リモートサーバシステムからの前記通知とに基いて、前記処理システムによって選択される、請求項１５に記載のハザード検出器のステータスを出力するための方法。
【請求項１７】
前記ハザード検出器の前記周囲環境における前記明るさレベルが前記しきい値に到達したことを前記照明状態が示すと判断されることに応答して前記発光体を先に発光させてから少なくともしきい値時間期間が経過したかどうかを前記ハザード検出器によって判断することと；
前記発光状態と、さらに、少なくとも前記しきい値時間期間が経過したと判断されることとに基いて、前記発光体を前記ハザード検出器によって発光させることとをさらに含む、請求項１３に記載のハザード検出器のステータスを出力するための方法。
【請求項１８】
前記ハザード検出器の前記周囲環境における前記明るさレベルが前記しきい値に到達したと判断されることに応答して、前記複数の発光状態のうちの前記選択された発光状態を用いて、前記ハザード検出器の前記発光体を発光させることは、
少なくとも０．５秒間前記発光体の明るさレベルを徐々に増大すること；
少なくとも０．５秒間前記発光体の前記明るさレベルを維持すること；および
少なくとも０．５秒間前記発光体の前記明るさレベルを徐々に低減することを含む、請求項１３に記載のハザード検出器のステータスを出力するための方法。
【請求項１９】
ハザード検出器装置であって、
前記ハザード検出器の周囲環境において明るさレベルを測定するための手段と；
前記ハザード検出器の前記周囲環境における前記明るさレベルが記憶されるしきい値に到達したと判断するための手段と；
前記ハザード検出器の１つ以上のコンポーネントのステータスチェックを実行するための手段と；
前記ステータスチェックに基いて、複数の発光状態から、ある発光状態を選択するための手段とを含み、前記複数の発光状態の各発光状態は前記ハザード検出器と関連付けられるステータスに割当てられ；前記ハザード検出器装置はさらに、
前記ハザード検出器の前記周囲環境における前記明るさレベルが前記しきい値に到達したと判断されることに応答して、前記複数の発光状態のうちの前記選択された発光状態を用いて発光するための手段を含む、ハザード検出器装置。
【請求項２０】
無線ネットワークと無線で通信して、前記無線ネットワークおよびインターネットを介してアクセス可能なリモートサーバシステムに要求を送信するための手段と、
前記無線ネットワークを介して前記リモートサーバシステムから通知を受信するための手段とをさらに含み、
前記発光状態は、前記ハザード検出器装置の前記１つ以上のコンポーネントの前記ステータスチェックと、前記無線ネットワークを介して受信される前記リモートサーバシステムからの前記通知とに基いて選択される、請求項１９に記載のハザード検出器装置。
【請求項２１】
ハザード検出器であって、
少なくとも１つのタイプの危険の存在を検出する少なくとも１つのハザード検出センサと；
前記ハザード検出器の周囲環境において動作を検出するモーション検出センサと、
スピーカと；
複数の照明要素を含む発光体と；
前記少なくとも１つのハザード検出センサ、前記モーション検出センサ、および前記発光体と作動的通信状態において提供される処理システムとを含み、前記処理システムは、
複数の発光状態から、ある発光状態を選択するよう構成され、前記複数の発光状態の各発光状態は前記ハザード検出器と関連付けられるステータスに割当てられ；前記処理システムはさらに、
前記発光体を、前記複数の発光状態のうちの前記選択された発光状態に基いて発光させ；
前記発光体が前記選択された発光状態に基いて発光された後、前記ハザード検出器の前記周囲環境で前記モーション検出センサによって検出される動作の解析に基いて、身振り手振りが実行されたと判断し；
前記身振り手振りが実行されたと判断されることに応答して、前記スピーカを介して前記発光状態に対応する前記ステータスの詳細を出力するよう構成される、ハザード検出器。
【請求項２２】
前記ハザード検出器の前記周囲環境における明るさレベルを検知する光センサをさらに含む、請求項２１に記載のハザード検出器。
【請求項２３】
前記処理システムは、さらに、
前記光センサから前記ハザード検出器の前記周囲環境における前記明るさレベルの指示を受信し；
前記ハザード検出器の前記周囲環境における前記明るさレベルがしきい値に低減したと判断し；
前記ハザード検出器の前記周囲環境における前記明るさレベルが前記しきい値に到達したことに応答して、前記モーション検出センサを起動するよう構成される、請求項２２に記載のハザード検出器。
【請求項２４】
前記処理システムは、さらに、
起動後、予め規定される時間期間までの間、前記モーション検出センサを用いて、前記身振り手振りに関して監視するよう構成される、請求項２３に記載のハザード検出器。
【請求項２５】
前記ハザード検出器に電力を供給するオンボードのバッテリモジュールをさらに含み、
前記モーション検出センサはもっぱら前記オンボードのバッテリモジュールによってを電力を供給される、請求項２４に記載のハザード検出器。
【請求項２６】
前記発光状態は前記ハザード検出器の前記オンボードのバッテリモジュールの低バッテリステータスを示す、請求項２５に記載のハザード検出器。
【請求項２７】
前記スピーカによって出力される前記ステータスの前記詳細は話し言葉の聴覚的なメッセージである、請求項２１に記載のハザード検出器。
【請求項２８】
前記身振り手振りが実行されたと判断するよう前記処理システムが構成されることは、
複数の手振りが前記ハザード検出器の前記周囲環境においてユーザによって前記身振り手振りとして実行されたと判断するよう前記処理システムが構成されることを含む、請求項２１に記載のハザード検出器。
【請求項２９】
前記少なくとも１つのハザード検出センサは煙検出センサおよび一酸化炭素検出センサを含む、請求項２１に記載のハザード検出器。
【請求項３０】
ハザード検出器がステータス詳細を出力するための方法であって：
前記ハザード検出器によって、複数の発光状態から、ある発光状態を選択することを含み、前記複数の発光状態の各発光状態は前記ハザード検出器と関連付けられるステータスに割当てられ；前記方法はさらに、
前記ハザード検出器によって、前記ハザード検出器の発光体を、前記複数の発光状態のうちの前記選択された発光状態に基いて発光させることと；
前記発光体が前記選択された発光状態に基いて発光された後、前記ハザード検出器の前記周囲環境で検出される動作の解析に基いて、身振り手振りが実行された、と前記ハザード検出器によって、判断することと；
前記身振り手振りが実行されたと判断されることに応答して、スピーカを介して前記発光状態に対応する前記ステータスの詳細を、前記ハザード検出器によって出力することとを含む、ハザード検出器がステータス詳細を出力するための方法。
【請求項３１】
前記ハザード検出器によって、前記光センサから前記ハザード検出器の前記周囲環境における前記明るさレベルを検知することと；
前記ハザード検出器によって、前記ハザード検出器の前記周囲環境における前記明るさレベルはしきい値に低減したと判断することと；
前記ハザード検出器の前記周囲環境における前記明るさレベルが前記しきい値に到達したことに応答して、モーション検出センサを前記ハザード検出器によって起動することとをさらに含む、請求項３０に記載のハザード検出器がステータス詳細を出力するための方法。
【請求項３２】
複数の手振りが前記ハザード検出器の前記周囲環境においてユーザによって前記身振り手振りとして実行された、と前記ハザード検出器によって判断することをさらに含む、請求項３０に記載のハザード検出器がステータス詳細を出力するための方法。
【請求項３３】
起動後、予め規定される時間期間までの間、前記ハザード検出器によって、前記身振り手振りに関して監視することをさらに含む、請求項３０に記載のハザード検出器がステータス詳細を出力するための方法。
【請求項３４】
前記少なくとも１つのハザード検出センサは煙および一酸化炭素を検出する、請求項３０に記載のハザード検出器がステータス詳細を出力するための方法。
【請求項３５】
ハザード検出器装置であって、
複数の発光状態から、ある発光状態を選択するための手段を含み、前記複数の発光状態の各発光状態は前記ハザード検出器装置と関連付けられるステータスに割当てられ；前記ハザード検出器装置はさらに、
前記ハザード検出器装置の発光手段を、前記複数の発光状態のうちの前記選択された発光状態に基いて発光させるための手段と；
前記照明手段が前記選択された発光状態に基いて発光された後、前記ハザード検出器装置の前記周囲環境で検出される動作の解析に基いて、身振り手振りが実行されたと判断するための手段と；
前記身振り手振りが実行されたと判断されることに応答して、聴覚的手段を介して前記発光状態に対応する前記ステータスの詳細を出力するための手段とを含む、ハザード検出器装置。
【請求項３６】
前記光センサから前記ハザード検出器の前記周囲環境における前記明るさレベルを検知するための手段と；
前記ハザード検出器の前記周囲環境における前記明るさレベルがしきい値に低減したと判断するための手段と；
前記ハザード検出器の前記周囲環境における前記明るさレベルが前記しきい値に到達したことに応答して、モーション検出手段を起動するための手段とをさらに含む、請求項３５に記載のハザード検出器装置。
【請求項３７】
複数の手振りが前記ハザード検出器の前記周囲環境においてユーザによって前記身振り手振りとして実行されたと判断するための手段をさらに含む、請求項３５に記載のハザード検出器装置。
【請求項３８】
起動後、予め規定される時間期間までの間、前記身振り手振りに関して監視するための手段をさらに含む、請求項３５に記載のハザード検出器装置。
【請求項３９】
前記ハザード検出器装置に電力を供給するための手段をさらに含み、
前記ハザード検出器装置に電力を供給するための前記手段は、前記ハザード検出器装置内において電力を蓄えるよう用いられる、請求項３５に記載のハザード検出器装置。
【請求項４０】
煙を検出するための手段と、一酸化炭素を検出するための手段とをさらに含む、請求項３５に記載のハザード検出器装置。
【発明の詳細な説明】
【技術分野】
【０００１】
相互参照
この出願は、２０１３年１０月７日に提出され（代理人番号９４０２１−８６８２９０｜ＮＥＳ０３０８−ＰＲＯＶ）、「ユーザフレンドリーな検出ユニット（User-Friendly Detection Unit）」と題される、米国仮出願６１／８８７，９６９に対する優先権を主張し、および、２０１３年１０月７日に提出された（代理人番号９４０２１−８６８４５６｜ＮＥＳ０３１８−ＰＲＯＶ）、米国仮出願６１／８８７，９６３に対する優先権を主張し、各々これによってすべての目的のために引用により援用する。
【背景技術】
【０００２】
背景
煙警報器および一酸化炭素警報器などのようなハザード検出装置は、住宅または建築物占有（在宅）者に、危険性の存在に対して警戒させるのを助けるが、しかし、典型的には有用性の領域においては望まれることが多く残っている。たとえば、多数の従来のハザード検出装置では、設置されたバッテリの電荷が低いとき、ハザード検出装置は周期的にチャープ音または他の音を発して、付近の人に低いバッテリ充電状態に対して警告する。しばしば、この音は、ハザード検出装置によって夜間に生じ始め、睡眠から付近の人を起こし、おそらくは彼らの住居を通ってその不快なハザード検出装置を探しに行かせる。さらに、従来のハザード検出装置の機能をテストするためには、典型的にはハザード検出装置の上に位置されるボタンを押圧するように要求される。ハザード検出装置が不便な場所に位置する場合などは、そのような構成は非能率的かもしれない。
【０００３】
分野
この特許明細書は、スマートホームを含むスマートビルディングのためのシステム、装置、方法および関連するコンピュータプログラム製品に関する。より具体的には、この特許明細書は、スマートビルディングおよびスマートホーム環境において有用である、ハザード検出ユニット（たとえば煙検出器、一酸化炭素センサ、など）または他の監視装置などのような検出ユニットに関する。
【発明の概要】
【課題を解決するための手段】
【０００４】
概要
ハザード検出器のステータスの呈示を可能にするさまざまなシステム、デバイス、装置、方法およびコンピュータ読取可能媒体が呈示される。そのようなステータスは、１つ以上の色およびアニメーションを用いる、発光される光の形式で呈示されてもよい。環境における明るさレベルがしきい値より下に落ちるとき、そのようなステータスが呈示されてもよい。
【０００５】
いくつかの実施の形態では、少なくとも１つのタイプの危険の存在を検出する少なくとも１つのハザード検出センサを含むハザード検出器が呈示される。ハザード検出器は、ハザード検出器の周囲環境における明るさレベルを検知する光センサを含んでもよい。ハザード検出器は発光体を含んでもよい。ハザード検出器は、少なくとも１つのハザード検出センサ、光センサ、および発光体と作動的通信状態において提供される処理システムを含んでもよい。処理システムは、光センサからハザード検出器の周囲環境における明るさレベルの指示を受信するよう構成されてもよい。処理システムは、ハザード検出器の周囲環境における明るさレベルがしきい値に到達したと判断するよう構成されてもよい。処理シ
ステムは、ハザード検出器の１つ以上のコンポーネントのステータスチェックを実行するよう構成されてもよい。処理システムは、ステータスチェックに基いて、複数の発光状態から、ある発光状態を選択するよう構成されてもよく、複数の発光状態の各発光状態はハザード検出器と関連付けられるステータスに割当てられる。処理システムは、ハザード検出器の周囲環境における明るさレベルがしきい値に到達したと判断されることに応答して、複数の発光状態のうちの選択された発光状態を用いて、発光体を発光させるよう構成されてもよい。
【０００６】
そのようなハザード検出器の実施の形態は以下の特徴の１つ以上を含んでもよい：少なくとも１つのハザード検出センサは煙検出センサおよび一酸化炭素検出センサを含んでもよい。処理システムが、ハザード検出器の１つ以上のコンポーネントのステータスチェックを実行するよう構成されることは、ハザード検出器のバッテリのバッテリ電荷がしきい値電荷レベルより下であると判断するよう処理システムが構成されることを含んでもよく、発光状態は低いバッテリ状態を示す。複数の発光状態の各発光状態は少なくとも色およびアニメーションパターンを含んでもよい。処理システムは、少なくとも０．５秒間発光体の明るさレベルを徐々に増大させ；少なくとも０．５秒間発光体の明るさレベルを維持し；および少なくとも０．５秒間発光体の明るさレベルを徐々に低減するように構成されてもよい。ハザード検出器は、無線ネットワークと通信するように構成された無線トランシーバを含んでもよく、処理システムは、さらに、無線トランシーバおよびインターネット（登録商標）を介してアクセス可能なリモートサーバシステムに要求を送信するよう構成される。処理システムは、無線トランシーバを介してリモートサーバシステムから通知を受信するよう構成されてもよく、発光状態は、ハザード検出器の１つ以上のコンポーネントのステータスチェックと、無線トランシーバを介して受信されるリモートサーバシステムからの通知とに基いて、処理システムによって選択される。ハザード検出器は、円形パターンでハザード検出器から光を出力する複数の発光ダイオード（ＬＥＤ）を含んでもよい。ハザード検出器は、ハザード検出器の機能を開始するようユーザによって作動されるように構成されたボタンを含んでもよく、複数のＬＥＤはボタンを取囲む円形パターンでハザード検出器から光を出力するよう構成される。処理システムは、ハザード検出器の周囲環境における明るさレベルがしきい値に到達したことを照明状態が示すと判断されることに応答して発光体を先に発光させてから少なくともしきい値時間期間が経過したかどうか判断するよう構成されてもよい。処理システムは、発光状態と、さらに、少なくともしきい値時間期間が経過したと判断されることとに基いて、発光体を発光させるよう構成されてもよい。ハザード検出器は、ハザード検出器の周囲環境において動作を検知するモーション検出センサを含んでもよく、処理システムは、さらに、動作がハザード検出器の周囲環境にあることをモーション検出器が示すことと、ハザード検出器の周囲環境における明るさレベルがしきい値に到達したことを照明状態が示すこととに基いて、発光体を発光させるよう構成される。処理システムは、動作がハザード検出器の周囲環境にあることをモーション検出器が示すことと、ハザード検出器の周囲環境における明るさレベルがしきい値に到達したことを照明状態が示すことと、処理システムによって記憶されるユーザ定義される設定が、ハザード検出器は寝室の内部にないことを示すこととに基いて、発光体を発光させるよう構成されてもよい。
【０００７】
ある実施の形態において、ハザード検出器装置が呈示される。装置は、ハザード検出器の周囲環境において明るさレベルを測定するための手段を含んでもよい。装置は、ハザード検出器の周囲環境における明るさレベルが記憶されるしきい値に到達したと判断するための手段を含んでもよい。装置は、ハザード検出器の１つ以上のコンポーネントのステータスチェックを実行するための手段を含んでもよい。装置は、ステータスチェックに基いて、複数の発光状態から、ある発光状態を選択するための手段を含んでもよく、複数の発光状態の各発光状態はハザード検出器と関連付けられるステータスに割当てられる。装置は、ハザード検出器の周囲環境における明るさレベルがしきい値に到達したと判断される
ことに応答して、複数の発光状態のうちの選択された発光状態を用いて発光するための手段を含んでもよい。
【０００８】
さらに、装置は、無線ネットワークと無線で通信して、無線ネットワークおよびインターネットを介してアクセス可能なリモートサーバシステムに要求を送信するための手段を含んでもよい。装置は、無線ネットワークを介してリモートサーバシステムから通知を受信するための手段を含んでもよい。発光状態は、ステータスチェックと、無線ネットワークを介して受信されるリモートサーバシステムからの通知とに基いて選択されてもよい。
【０００９】
ハザード検出器のステータスの呈示を可能にするさまざまなシステム、デバイス、装置、方法およびコンピュータ読取可能媒体が呈示される。そのようなステータスは、１つ以上の色およびアニメーションを用いる、発光される光の形式で呈示されてもよい。ステータスが呈示されることに応答して、ユーザは、ステータスのさらなる詳細を知るよう入力を与えてもよい。ユーザ入力に応答して、さらなる詳細はステータスとは異なるモードを介して出力されてもよい。たとえば、光を用いてステータスが出力された場合、詳細は音声を用いて出力されてもよい。
【００１０】
ある実施の形態では、ハザード検出器が呈示される。ハザード検出器は、少なくとも１つのタイプの危険の存在を検出する少なくとも１つのハザード検出センサを含んでもよい。ハザード検出器は、ハザード検出器の周囲環境において動作を検出するモーション検出センサを含んでもよい。ハザード検出器はスピーカを含んでもよい。ハザード検出器は、複数の照明要素を含む発光体を含んでもよい。ハザード検出器は、少なくとも１つのハザード検出センサ、モーション検出センサ、および発光体と作動的通信状態において提供される処理システムを含んでもよい。処理システムは、複数の発光状態から、ある発光状態を選択するよう構成されてもよく、複数の発光状態の各発光状態はハザード検出器と関連付けられるステータスに割当てられる。処理システムは、発光体を、複数の発光状態のうちの選択された発光状態に基いて発光させるよう構成されてもよい。処理システムは、発光体が選択された発光状態に基いて発光された後、ハザード検出器の周囲環境でモーション検出センサによって検出される動作の解析に基いて、身振り手振りが実行されたと判断するよう構成されてもよい。処理システムは、身振り手振りが実行されたと判断されることに応答して、スピーカを介して発光状態に対応するステータスの詳細を出力するよう構成されてもよい。
【００１１】
そのようなハザード検出器の実施の形態は以下の特徴の１つ以上を含んでもよい：ハザード検出器は、ハザード検出器の周囲環境における明るさレベルを検知する光センサを含んでもよい。処理システムは、光センサからハザード検出器の周囲環境における明るさレベルの指示を受信するよう構成されてもよい。処理システムは、ハザード検出器の周囲環境における明るさレベルがしきい値に低減したと判断するよう構成されてもよい。処理システムは、ハザード検出器の周囲環境における明るさレベルがしきい値に到達したことに応答して、モーション検出センサを起動するよう構成されてもよい。処理システムは、起動後、予め規定される時間期間までの間、モーション検出センサを用いて、身振り手振りに関して監視するよう構成されてもよい。ハザード検出器は、ハザード検出器に電力を供給するオンボードのバッテリモジュールを含んでもよく、モーション検出センサはもっぱらオンボードのバッテリモジュールによってを電力を供給される。発光状態はハザード検出器のオンボードのバッテリモジュールの低バッテリステータスを示してもよい。スピーカによって出力されるステータスの詳細は話し言葉の聴覚的なメッセージであってもよい。身振り手振りが実行されたと判断するよう処理システムが構成されることは、複数の手振りがハザード検出器の周囲環境においてユーザによって身振り手振りとして実行されたと判断するよう処理システムが構成されることを含んでもよい。少なくとも１つのハザード検出センサは煙検出センサおよび一酸化炭素検出センサを含んでもよい。
【００１２】
ある実施の形態では、ハザード検出器がステータス詳細を出力するための方法が呈示される。方法は、ハザード検出器によって、複数の発光状態から、ある発光状態を選択することを含んでもよく、複数の発光状態の各発光状態はハザード検出器と関連付けられるステータスに割当てられる。方法は、ハザード検出器によって、ハザード検出器の発光体を、複数の発光状態のうちの選択された発光状態に基いて発光させることを含んでもよい。方法は、発光体が選択された発光状態に基いて発光された後、ハザード検出器の周囲環境で検出される動作の解析に基いて、身振り手振りが実行された、とハザード検出器によって判断することを含んでもよい。方法は、身振り手振りが実行されたと判断されることに応答して、スピーカを介して発光状態に対応するステータスの詳細を、ハザード検出器によって出力することを含んでもよい。
【００１３】
ある実施の形態においては、ハザード検出器装置が呈示される。装置は、複数の発光状態から、ある発光状態を選択するための手段を含んでもよく、複数の発光状態の各発光状態はハザード検出器装置と関連付けられるステータスに割当てられる。装置は、ハザード検出器装置の発光手段を、複数の発光状態のうちの選択された発光状態に基いて発光させるための手段を含んでもよい。装置は、照明手段が選択された発光状態に基いて発光された後、ハザード検出器装置の周囲環境で検出される動作の解析に基いて、身振り手振りが実行されたと判断するための手段を含んでもよい。装置は、身振り手振りが実行されたと判断されることに応答して、聴覚的手段を介して発光状態に対応するステータスの詳細を出力するための手段を含んでもよい。
【００１４】
図面の簡単な説明
さまざまな実施の形態の性質および利点のさらなる理解は、以下の図面への参照によって実現され得る。添付された図面において、同様のコンポーネントまたは特徴は、同じ参照符号を有し得る。
【図面の簡単な説明】
【００１５】
【図１】ハザード検出器の実施の形態のブロック図を示す。
【図２】ハザード検出器の実施の形態の別のブロック図を示す。
【図３】無関係なイベントに応答して機能を実行してもよいシステムのブロック図を示す。
【図４】ハザード検出器の実施の形態の外観図を示す。
【図５】発光体として複数の発光ダイオード（ＬＥＤ）を用いるハザード検出器の実施の形態の外観図を示す。
【図６】光の円形パターンを出力するハザード検出器の実施の形態の外観図を示す。
【図７】ＬＥＤを円形に構成するハザード検出器の実施の形態を示す。
【図８Ａ】ハザード検出器の発光体を用いて生成され得る４つのさまざまな視覚効果の実施の形態を示す。
【図８Ｂ】ハザード検出器の発光体を用いて生成され得る４つのさまざまな視覚効果の実施の形態を示す。
【図８Ｃ】ハザード検出器の発光体を用いて生成され得る４つのさまざまな視覚効果の実施の形態を示す。
【図８Ｄ】ハザード検出器の発光体を用いて生成され得る４つのさまざまな視覚効果の実施の形態を示す。
【図９Ａ】ハザード検出器の発光体を用いて生成され得るパルス視覚効果の実施の形態を示す。
【図９Ｂ】ハザード検出器の発光体を用いて生成され得るパルス視覚効果の実施の形態を示す。
【図１０】ハザード検出器によって出力されてもよい回転する視覚効果の別の実施の形態を示す。
【図１１】ハザード検出器によって視覚効果を発生させるよう用いられてもよいさまざまな色相範囲パターンの実施の形態を示す。
【図１２】ハザード検出器によって用いられてもよい視覚効果に対する定義の実施の形態を示す。
【図１３】ハザード検出器によって用いられてもよい視覚効果および色のさまざまな組合せを示す。
【図１４】ユーザがハザード検出器によって検出される身振り手振りを実行する実施の形態を示す。
【図１５】スマートホーム環境の実施の形態が示され、そこにおいては、ここにさらに記載される装置、方法、システム、サービスおよび／またはコンピュータプログラム製品のうちの１つ以上が適用可能であってもよい。
【図１６Ａ】ハザード検出器が統合されてもよい拡張可能な装置およびサービスプラットフォームのネットワークレベル図を示す。
【図１６Ｂ】処理エンジンおよびスマートホーム環境の装置を参照して、図１６Ａの拡張可能な装置およびサービスプラットフォームの抽象化された機能図の実施の形態を示す。
【図１７】ハザード検出器のステータスを出力する方法の実施の形態を示す。
【図１８】ハザード検出器のステータスを出力する方法の別の実施の形態を示す。
【図１９】無関係な環境特性に応答して機能を実行する方法の実施の形態を示す。
【図２０】ユーザ入力に応答してステータスについての詳細を与える方法の実施の形態を示す。
【図２１】ユーザによって実行された身振り手振りに応答してステータスについてハザード検出器によって詳細を与える方法の実施の形態を示す。
【図２２】ユーザ入力に基いてステータスおよびそのステータスの重大性を出力する方法の実施の形態を示す。
【図２３】コンピュータシステムの実施の形態を示す。
【発明を実施するための形態】
【００１６】
詳細な記載
ハザード検出器は、煙検出器、一酸化炭素検出器、および／または危険の存在を検出することができる他の形式の検出器を含んでもよい。たとえば、ハザード検出器は、住宅の部屋などのような（たとえば寝室、オフィス、キッチン、玄関、など）部屋の壁または天井または他のタイプの構造物上に設置されるように構成された組み合わされた煙および一酸化炭素検出器であってもよい。そのようなハザード検出器がハザード検出器の機能に関する情報をユーザを与えることは有益かもしれない。この文献の目的のため、ユーザは、ハザード検出器の付近にいる人、および／またはハザード検出器と対話している人を指す。ハザード検出器は、バッテリが十分な電荷を有しているか、低い電荷を有しているか、または直ちに置換される必要があるかどうか判断するバッテリテストの結果のようなステータス情報をユーザを与えてもよい。従来のハザード検出器では、低いバッテリ状態が検出されるたびに、ハザード検出器は、大きなチャープ音などのような周期性ノイズを発し始めて、付近のユーザに低いバッテリ状態に対して警戒させ得る。そのような従来の構成とは対照的に、ハザード検出器のステータスに関する情報は、ここに詳述されたハザード検出器の実施の形態によっては、環境条件に応答して呈示されてもよい。
【００１７】
そのような環境条件は、ユーザがおそらくは所与の日の最終時間に対して部屋を出る（または寝る）の示してもよい。ハザード検出器は、それの周囲環境の照明状態を監視し、いつ周囲光の量がしきい値より下に落ちたかを判断してもよい。周囲光におけるそのような低下は、ユーザがハザード検出器の付近で１つ以上の発光体を遮断することを示してもよい。さらに、周囲光がしきい値より下に落ちることは、夜であり、自然光の欠乏がハザ
ード検出器の周囲環境にあることを示してもよい。ハザード検出器が、その付近にある光量がしきい値より下に落ちたと検出することに応答して、ステータスチェックの実行が引き起こされてもよく、または、ステータスチェックの結果の呈示が呈示されるよう引き起こされてもよい。ステータスチェックは、バッテリ充電レベル、リモートサーバに対する接続性、任意のメッセージが（たとえばリモートサーバにおいて）ハザード検出器のユーザに対して保留中かどうか、煙センサおよび／もしくは一酸化炭素センサは適切に機能しているかどうか、ハザード検出器の有効寿命は期限が切れたかどうか、ハザード検出器の完全なテストが行われるべきであるかどうか、有線電力がハザード検出器によって受取られているかどうか、無線ネットワークに対する接続性が存在するかどうか、ならびに／またはハザード検出器の他の状態のような、ハザード検出器のさまざまな状態をチェックしてもよい。
【００１８】
ハザード検出器の周囲光がしきい値に落ちる前またはそれに応答してステータスチェックが実行されるかどうかにかかわらず、周囲照明における低下は、ハザード検出器をトリガして、ステータスチェックの結果を視覚的に呈示してもよい。色、アニメーションパターン、および／または、呈示の速度を用いて、ユーザに情報を伝えてもよい。たとえば、照明状態がしきい値明るさレベルに到達することに続いて、緑色光が短い時間の間ユーザに呈示されてもよい。そのような緑色光は、ステータスチェックがユーザからのアクションを必要とする問題を識別しないことを示してもよい。代りに黄色光が表示される場合、これは、低いバッテリ状態などのような１つ以上の問題がユーザからのアクションを必要とする、とステータスチェックが判断することを示してもよい。黄色光は、直ちに必要でないアクションを示してもよい。赤色光は、欠落しているバッテリまたは損傷したセンサなどのような１つ以上の問題がユーザによって直ちに処理される必要がある、とステータスチェックが判断することを示してもよい。ステータスを与える光の使用は、ハザード検出器の付近でユーザを過度に煩わせることを回避するのに特に有用かもしれない。たとえば、ハザード検出器のステータスチェックは、無関心なユーザによっては、単にハザード検出器を見ないことによって無視され得る。したがって、いくつかの実施の形態に対しては、非警報ステータス通知のために、特に付随の警戒音声信号の提供を回避しながら、上に記載された光信号などのような光学的信号を与えることは、特に有利であると見出された。音声信号は、確かに、危険な状態が実際に検出される警報レベル状態の必要な部分である一方で、より重要でない状況に対しては、音声信号を用いず、光のみの信号などのような、よりかすかな信号を用いるのが、より有利であると見出された。いくつかの筋書では、これは代替的な筋書に比して非常に有利な結果を有することができる。たとえば、それは、恐怖の低バッテリ「チャープ音」を発するハザード検出器が苛立つ眠いユーザによって単に壁部から除去され、床またはテーブルの上に置かれて、バッテリコンパートメントが急いで開かれ、バッテリが除去される場合であり得る。これは明確に不利な状況であり、なぜならば、そのとき、その場所に対しては、ユーザが（望ましくは）恐らく翌日、新しいバッテリを再設置し、その適切な場所にユニットを戻すような時まで、全くハザード検出がないからである。対照的に、バッテリが低くなり始めている状況に対して、苛立たせるチャープ音を保留しながら、軽度に警戒させる光学的信号（黄色光などのような）を用いることによって、ユーザは、その黄色を見ると、何かが注意を必要とすることを知るが、適切なハザード検出がすべての時間において起こっているように、苛立つ眠いユーザによる不能化の状況は回避することができる。別の利点として、短く無音の緑色光（または他の無音であるが、視覚的に安心させる信号）の提供は、ユーザに対して、苛立たせたり、干渉したりせずに、安心の心地よい感覚を与えることができる。たとえば、母親がちょうどベッドに彼女の幼い子どもを寝かせて、夜間の明かりを消している状況では、短い、無音の、心地よい緑色の光は、満足な幸福および安心感を与えることができる。特に、同時に、意識下であれ、潜在意識下であれ、建設的な繰返しパターンの認識が蓄積され、なぜならば、明かりが消されるとき緑色の光が生じるという期待があり、緑色光が黄色光と置換される場合、それは却って一層気付きやすいからである。好ましい実施の形態の
特徴および利点は、低くなり始めているが、あまり低くないバッテリの文脈で、最もよく適用されることが、十分に理解される。行政安全基準によれば、バッテリが低くなりすぎたときに、不愉快なチャープ音を与え続けることは好ましい。しかしながら、ここに記載された好ましい実施の形態の１つ以上に従って実現されるとき、ハザード検出器がそもそも「低すぎる」状態に達することは実質的にそれほど可能性が高くなく、なぜならば、恐らく、ユーザが、数日または数週間生じている無音の黄色光警報を見てそれに応答することで、既にバッテリを交換しているいくつかの機会があるからである。
【００１９】
一旦ステータスが呈示されると、ハザード検出器上における光は遮断または次第に消えてもよい。一旦ステータスが呈示されると、ハザード検出器は、少なくとも予め規定された期間（たとえば１時間、４時間、２０時間、１日、など）が経過するまでステータスを再び呈示しないように構成されてもよい。いくつかの実施の形態では、ハザード検出器が周囲照明を与えるように構成され得るのは、動作がハザード検出器の付近で検出され、周囲照明はしきい値未満であり、ハザード検出器がそのような光を与えるように構成される（たとえば、ハザード検出器は、それが寝室にないことを示す入力を受けた）場合である。ステータスを出力するのと同じ発光体を用いて、恐らく白色光などのような異なる色を用いて、周囲照明を与えてもよい。
【００２０】
ユーザがハザード検出器によって呈示されたステータスを見て、ステータスに満足するか、そうでなければ無関心である場合には、ユーザは他のアクションを実行しなくてもよく、または単純に部屋を出てもよく、または寝てもよく、またはそうでなければ自分の一日を続行してもよい。しかしながら、いくつかの状況では、ユーザはステータスについてのより多くの情報を所望してもよい。たとえば、ハザード検出器が黄色ステータスを呈示する場合、ユーザは、ステータスについての１つ以上の詳細を知ることを望んでもよい。ステータスが呈示された後、予め定められる期間の間、ハザード検出器は、ユーザがハザード検出器の付近で任意の身振り手振りを実行したかどうかを判断することができるモーション検出器を起動してもよい。たとえば、ハザード検出器が天井に取付けられている場合、ハザード検出器より下で、またはそうでなければ近くで、ユーザは１回または複数回を手を振って、ハザード検出器をトリガして、先に表示されたステータスについての詳細を与えさせてもよい。身振り手振りが検出される場合、視覚的な指標を出力するのではなく、ハザード検出器は聴覚的なメッセージを出力してもよい。たとえば、聴覚的なメッセージは、ハザード検出器のステータスについてのさらなる詳細を示す、話言葉メッセージであってもよい。例として、ハザード検出器は、「バッテリが低い。貴方の最も早期の都合のよい時にバッテリを置換してください。」と述べてもよい。ユーザに話されるステータスについての詳細をトリガするために身振り手振りを用いる能力は、特にハザード検出器が天井に搭載されるような手の届かないところにある場合、有用かもしれない。
【００２１】
図１は、ハザード検出器１００の実施の形態のブロック図を示す。ハザード検出器１００は、処理システム１１０、ハザードセンサ１２０、光センサ１３０および発光体１４０を含んでもよい。このブロック図はハザード検出器１００の単純化であることが理解されべきであり；他のコンポーネントも存在してもよい。たとえば、ハザード検出器１００は、何らかの形式の電源を必要とする。別の例として、ハザード検出器１００はおそらく、危険の存在がハザードセンサ１２０によって検出されると大きなノイズを出すように構成された何らかの形式の音声形成器を含む。
【００２２】
ハザードセンサ１２０はハザード検出器１００の付近における危険の特定のタイプを検出するように構成されてもよい。たとえば、ハザードセンサ１２０は、ハザード検出器１００の付近における煙の存在または一酸化炭素の存在を検出するように構成されてもよい。ハザード検出器１００は、単一のハザードセンサ１２０を有しているように示されているが、複数のハザードセンサが存在してもよいことが理解されるべきである。たとえば、
ハザード検出器１００は煙センサおよび一酸化炭素センサの両方を含んでもよい。いくつかの実施の形態では、複数の形式の煙センサが存在してもよい。たとえば、イオン化に基いた煙センサが存在してもよく、さらに、光電煙センサが存在してもよい。各々のそのようなタイプの煙センサはさまざまな形の火炎（たとえば、急速に火炎を発する炎、ゆっくりくすぶる炎）を検出するために好ましいかもしれない。他の形式のハザードセンサが、ハザードセンサ１２０として用いることが可能かもしれないことが理解されるべきであり；たとえば、ハザードセンサ１２０は、アンモニウム、揮発性有機化合物、湿度、温度、または付近でユーザもしくは設備を脅かす任意の他の環境条件の存在を検出するように構成されてもよい。１つ以上のハザードセンサが存在するかどうかにかかわらず、データは処理システム１１０に転送されてもよい。たとえば、ハザードセンサ１２０が煙の存在を検出する場合、煙の存在を示すデータがハザードセンサ１２０によって処理システム１１０に転送されてもよい。ハザードセンサ１２０は、さらにハザードセンサ１２０が適切に機能しているかどうか示すデータなどのような付加的情報を処理システム１１０に与えることができてもよい。いくつかの実施の形態では、処理システム１１０が、ハザードセンサ１２０に対して、ハザードセンサ１２０にセルフテストを実行させる信号を送信することが可能であってもよい。
【００２３】
光センサ１３０はハザード検出器１００の周囲環境における光の明るさレベルを検出するように構成されてもよい。光センサ１３０は、処理システム１１０に、ハザード検出器１００の周囲環境の明るさを示すデータを与えてもよい。いくつかの実施の形態では、処理システム１１０に明るさレベルを与えるのではなく、光センサ１３０は、しきい値明るさレベルがハザード検出器１００の周囲環境の明るさによっていつ到達されたかを処理システム１１０に示してもよい。いくつかの実施の形態では、明るさがいつしきい値明るさ値より下に落ちるかに関して、しきい値明るさ値を監視して、ハザード検出器１００のステータスチェックをトリガしてもよい。
【００２４】
発光体１４０は、複数の色の光を出力するように構成される、発光ダイオード（ＬＥＤ）のような１つ以上の照明要素を含んでもよい。さらに、発光体１４０はさまざまなパターンの光を出力するように構成されてもよい。たとえば、発光体１４０は、緑色光、黄色光、赤色光、青色光および白色光を出力するように構成されてもよい。さらに、発光体１４０は点滅し、（この文献でさらに記載され、ハロースイープ効果とも呼ばれる）循環効果を生じさせ、および／または徐々にオンおよびオフするように構成されてもよい。
【００２５】
処理システム１１０は、ハザードセンサ１２０、光センサ１３０および発光体１４０と通信状態にあってもよい。処理システム１１０は、ハザードセンサ１２０および光センサ１３０からデータを受けるように構成され、発光体１４０の発光を制御するよう構成される、１つ以上のプロセッサを含んでもよい。処理システム１１０は光センサ１３０からデータを受信してもよい。処理システム１１０は、光センサ１３０から受信されたデータを用いて、いつハザード検出器１００の周囲環境における明るさがしきい値明るさレベルより下に落ちたかを判断するよう構成されてもよい。したがって、処理システム１１０は、光センサ１３０からのデータで受信された明るさ情報との比較のために用いられるしきい値明るさレベルを記憶してもよい。処理システム１１０はさらに、最後にステータスチェックが行なわれたかのはいつだったか、および／または最後にハザード検出器１００の周囲環境における明るさレベルがしきい値明るさレベルより下に落ちたのはいつだったか監視するように構成されてもよい。いくつかの実施の形態では、処理システム１１０は、周期的にハザード検出器１００の１つ以上のコンポーネントのステータスチェックを実行する（および恐らくはリモートサーバによって記憶されたハザード検出器１００のユーザのアカウントをチェックする）。いくつかの実施の形態では、周期的にステータスチェックを実行するのではなく、処理システム１１０は、光センサ１３０によって検出される周囲の明るさがしきい値明るさレベルより下に落ちることに応答してステータスチェックを実
行してもよい。
【００２６】
処理システムはハザードセンサ１２０のステータスをチェックするよう構成されてもよい。たとえば、処理システム１１０はハザードセンサ１２０に対して照会を行なって、ハザードセンサ１２０が適切に機能しているかどうかを判断するよう構成されてもよい。ある実施の形態では、処理システム１１０は、ハザードセンサ１２０の期限が切れているかどうかを判断するよう構成される（たとえば、煙検出器は７年間などのような予め定められた時間の量の間だけ機能し得ると考えられてもよい）。
【００２７】
処理システム１１０は、ハザードセンサ１２０に加えて、またはそれと代替的に、ハザード検出器１００の１つ以上のコンポーネントのステータスをチェックするよう構成されてもよい。たとえば、処理システム１１０は、ハザード検出器１００のオンボードバッテリのバッテリレベルをチェックするよう構成されてもよい。処理システム１１０によって実行されるステータスチェックに応答して、処理システム１１０は、判断されたステータスに対応する光の色のアニメーションパターンおよび／または速度を判断するよう構成されてもよい。
【００２８】
処理システム１１０は、判断された光の色、パターン、および／または速度に従って発光体１４０を発光させてもよい。発光体１４０は、ハザード検出器１００の付近においてユーザにステータスチェックの結果を伝えるために、２、３秒のなどのような予め定められた時間の量の間、光の色、パターン、および／または速度に従って発光されてもよい。ある実施形態では、ステータスは、光のアニメーションが１秒間徐々に明るくなること、１秒間完全な明るさにあること、および１秒間徐々に消えることの一部として呈示される。そのような迅速な呈示はバッテリの寿命を節約することを助ける。
【００２９】
図２は、ハザード検出器２００の実施の形態の別のブロック図を示す。ハザード検出器２００はハザード検出器１００のより詳細な実施の形態を表わしてもよい。ハザード検出器２００は、処理システム１１０、一酸化炭素センサ１２１、煙センサ１２２、光センサ１３０、発光体１４０、バッテリに基づく電源２１０、ユーザ入力モジュール２２２、構造物光源２２０、モーションセンサ２２５、無線通信モジュール２３０、および音声出力モジュール２４０を含んでもよい。
【００３０】
ハザード検出器１００は単一のハザードセンサ１２０を有するとして示されていたが、ハザード検出器２００は２つのハザード検出器、つまり一酸化炭素センサ１２１と煙センサ１２２とを有する。明らかにするために一酸化炭素センサ１２１は一酸化炭素を検出するよう構成されてもよく、煙センサ１２２は煙を検出するよう構成されてもよい。ある実施の形態では、複数の形式の煙センサが存在し、イオン化センサと光電センサとを含む。一酸化炭素センサ１２１および煙センサ１２２は、処理システム１１０に対して危険の存在の指示を与えてもよい。
【００３１】
光センサ１３０および発光体１４０は、ハザード検出器１００に関係して詳述されるように機能してもよい。
【００３２】
ハザード検出器２００は、バッテリに基づく電源２１０および構造物電源２２０を含むとして示される。ハザード検出器２００のある実施の形態では、そのような構成が存在してもよい。構造物電源２２０を用いて、そのような電力が存在するときにハザード検出器２００に電源を供給してもよい。構造物電源２２０は、構造物中にわたって位置する１つ以上のハザード検出器にＡＣまたはＤＣ電圧源を与えるよう構成される構造物（たとえば家屋、ビルディング、オフィスなど）内においてハードワイヤードのコネクタを表わしてもよい。ＡＣまたはＤＣ電力がかなりの割合の時間（たとえば時間の９９．５％）利用可
能であり得るが、ハザード検出器２００が設置される構造物における電力が利用可能でない（たとえば停電中など）場合に、ハザード検出器２００が機能し続けることは望ましいであろう。したがって、バッテリに基づく電源２１０も存在してもよい。バッテリに基づく電源２１０は、構造物電源２２０が利用可能でないときにハザード検出器２００のさまざまなコンポーネントに電力を供給するよう構成される１つ以上のバッテリを含んでもよい。ハザード検出器２００のある実施の形態では、構造物電源２２０は存在しない。したがって、ハザード検出器２００は、ハザード検出器２００のコンポーネントに電力を供給するのに、バッテリに基づく電源２１０に永久的に依存してもよい。構造物電源２２０およびバッテリに基づく電源２１０は、図２においては、処理システム１１０に接続されるように示される。処理システム１１０は、構造物電源２２０が利用可能であるかどうかを判断し、バッテリに基づく電源２１０の充電レベルをチェックするよう構成されてもよい。構造物電源２２０およびバッテリに基づく電源２１０は処理システム１１０と接続されるのみであるように示されるが、これは単純化のためのみであり；構造物電源２２０およびバッテリに基づく電源２１０は、ハザード検出器２００のさまざまなコンポーネントに、そのようなコンポーネントに電力を与えるべく必要とされるように、接続されてもよい。
【００３３】
モーションセンサ２２５は、ハザード検出器２００の付近における動作を検出するよう構成されてもよい。モーションセンサ２２５は、ハザード検出器２００の付近においてユーザにより実行されてもよい１つ以上の身振り手振りを検出するよう構成されてもよい。ある実施の形態では、モーションセンサ２２５は、受取られる赤外線放射を検出する受動的な赤外線（ＰＩＲ）センサであってもよい。たとえばモーションセンサ２２５は、ユーザによって実行される手振りを検出するよう構成されてもよい。ある実施の形態では、手振りが検出されるために、複数の手振りがユーザによって実行されることが必要とされ得る。ある実施の形態では、モーションセンサ２２５は、電力を節約するためのように、ある時間においてのみ可能化されてもよい。バッテリに基づく電源２１０のみが利用可能である場合には、モーションセンサ２２５は、ステータスが発光体１４０を介してユーザに出力された後、予め規定される時間期間の間のみ可能化されてもよい。したがって、モーションセンサ２２５を用いて、ステータスが発光体１４０を介して出力された後、予め規定される時間量内で身振りがユーザによって実行されるかどうかを検出してもよい。構造物電源２２０が利用可能である場合には、モーションセンサ２２５は、より大きな時間量の間可能化されてもよい。たとえばモーションセンサ２２５を用いて、ユーザがハザード検出器２００の付近内にいるときはいつでもそれを監視してもよい。そのような動作検出を用いて、照明を可能化して、ユーザがハザード検出器２００の付近において見えるようにし、および／またはそのような動作検出を用いて、データを制御し、および／またはデータを構造物内においてＨＶＡＣシステムに提供してもよい。構造物電源２２０が利用可能である場合には、モーションセンサ２２５は、一部の実施の形態では、ハザード検出器２００の付近においてユーザによって実行される身振り手振りを監視するために、ステータスが発光体１４０を介して呈示された後、予め規定される時間期間の間のみ可能化されてもよい。
【００３４】
ユーザ入力モジュール２２２は、身振り手振りに加えて、またはそれに代わって、ユーザが処理システム１１０に入力を与えることができる入力コンポーネントの代替形式を表現してもよい。ユーザ入力モジュール２２２は、ハザード検出器２００上においてボタンまたはスイッチの形式を取ってもよい。ボタンを押すかまたはスイッチを作動させることによって、ユーザは、入力を、ユーザ入力モジュール２２２を介して、処理システム１１０に与えることができる。たとえば、ユーザ入力モジュール２２２を用いて、ハザード検出器２００によって現在鳴っている警報を不能化してもよい。
【００３５】
無線通信モジュール２３０は、処理システム１１０が、ハザード検出器２００が設置さ
れている構造物内に存在する無線ネットワークと通信することを可能にするよう構成されてもよい。たとえば、無線通信モジュール２３０は、通信のために８０２．１１ａ／ｂ／ｇネットワークプロトコルを用いる無線ネットワークと通信するよう構成されてもよい。無線通信モジュール２３０は、処理システム１１０がリモートサーバと通信することを許可してもよい。リモートサーバは、ハザード検出器２００に関連付けられるユーザのアカウントについて処理システム１１０に情報を提供するよう構成されてもよい。たとえば、リモートサーバに維持されるユーザのアカウントがユーザからの注意を必要とする場合には、そのような指示が、処理システム１１０に対して、無線通信モジュール２３０を介して与えられてもよい。そのような指示は、リモートサーバに対してなされる処理システム１１０からの問合せに応答して、リモートサーバによって与えられてもよい。さらに、処理システム１１０はステータス情報をリモートサーバに送信してもよい。そのような構成は、ユーザが、コンピューティングデバイスを介してリモートサーバにログインすることによって、ステータス情報を見ることを許してもよい。
【００３６】
音声出力モジュール２４０は、処理システム１１０によって音声出力モジュール２４０に与えられるデータに応答して、さまざまな形式の音声を出力するよう構成されてもよい。音声出力モジュール２４０は、記録または合成された話し言葉メッセージを出力できるスピーカであってもよい。たとえば、危険の存在を示してもよく、またはハザード検出器２００のステータスについての詳細を提供してもよい、音声に基づくメッセージが、ハザード検出器２００の付近におけるユーザによって聞かれるよう、音声出力モジュール２４０によって出力されてもよい。音声出力モジュール２４０は、危険の存在に対してユーザを警戒させるよう意図される鋭いビープ音またはトーンなどのような警報音を出力するよう構成されてもよい。異なるパターンおよび／またはトーンの音を用いて、ユーザに、異なるタイプの危険に対して警戒させてもよい。ある実施の形態では、話し言葉メッセージを、音のパターンおよび／またはトーンと織り交ぜて、ユーザに、危険な存在に対して警戒させてもよい。
【００３７】
図２に呈示されるさまざまなコンポーネントと通信するよう構成されてもよい処理システム１１０は、ハザード検出器２００の一部である。たとえば、処理システム１１０は、モーションセンサ２２５、ユーザ入力モジュール２２２、無線通信モジュール２３０、一酸化炭素センサ１２１、煙センサ１２２、バッテリに基づく電源２１０、構造物電源２２０、および／または光センサ１３０からデータを受信してもよい。処理システム１１０は、さらに、無線通信モジュール２３０、発光体１４０、および／または音声出力モジュール２４０を含む、ハザード検出器２００のさまざまなコンポーネントにデータを出力してもよい。処理システム１１０は、ハザード検出器２００の１つ以上のコンポーネントのステータスチェックを周期的に実行するか、または環境条件に応答して当該ステータスチェックを実行するよう構成されてもよい。たとえば、処理システム１１０は、バッテリに基づく電源２１０の充電レベルをチェックし、構造物電源２２０が利用可能であるかどうかをチェックし、無線通信モジュール２３０を介してリモートサーバに維持されるアカウントステータスを判断し、ならびに／または一酸化炭素センサ１２１および／もしくは煙センサ１２２のようなセンサが機能しているかどうかをテストするよう構成されてもよい。処理システム１１０は、次いで、ステータスに関する情報を、ユーザに対して、発光体１４０および／または音声出力モジュール２４０を介して出力してもよい。処理システム１１０は、図１７〜図２１に関連して詳述される方法のさまざまなブロックを実行するよう構成されてもよいことが理解されるべきである。
【００３８】
処理システム１１０は、（ハードウェア上で実行される）ソフトウェア、ファームウェア、および／またはハードウェアを用いて実現される複数のエンジンを含んでもよい。そのようなエンジンは、ステータスチェックエンジン２５１、定義参照エンジン２５２、出力トリガエンジン２５３、モーション解析エンジン２５４、および呈示モニタエンジン２
５５を含んでもよい。そのようなエンジンは、より多くの数のエンジンに分割されてもよく、またはより少ない数のエンジンに組合せられてもよいことが理解されるべきである。ステータスチェックエンジン２５１は、１日に１回または１時間に１回など、周期的にステータスチェックを実行するよう構成されてもよい。ある実施の形態では、ステータスチェックエンジン２５１は、ステータス指示が出力される旨を示す出力トリガエンジン２５３からの指示に基づいてステータスチェックを実行するよう構成されてもよい。ステータスチェックエンジン２５１は、ハザード検出器の１つ以上のコンポーネントのステータスをチェックしてもよい。ステータスチェックエンジン２５１は、１つ以上のしきい値と比較してのバッテリに基づく電源２１０のバッテリレベル、一酸化炭素センサ１２１（たとえば機能している、機能しておらず期限が切れているなど）、煙センサ１２２（たとえば機能している、機能しておらず期限が切れているなど）、モーションセンサ２２５（たとえば機能している、機能していない）、構造物電源２２０（たとえば利用可能、利用不可能）、光センサ１３０（たとえば機能している、機能していない）、などのステータスをチェックしてもよい。ステータスチェックエンジン２５１は、リモートサーバに照会することによって、ハザード検出器と関連付けられるユーザアカウントのステータスをチェックしてもよい。ステータスチェックエンジン２５１はバッテリに基づく電源２１０を複数のしきい値に対してチェックしてもよい。第１のしきい値は、第２のしきい値より大きくてもよく、第１のしきい値を用いて、バッテリが低い電圧に近づきつつあり、ユーザがそれを取換えることを考えるべきである、と判断してもよい。第２のしきい値を用いて、バッテリの電圧が低く、即座に取換えるべきである、と判断してもよい。２つより多いしきい値も、バッテリ電圧を評価することに対して考えられ得る。
【００３９】
ステータスチェックエンジン２５１のステータスチェックの結果に基づいて、出力が定義参照エンジン２５２に供給されてもよい。定義参照エンジン２５２は、ステータスの指示を１人以上のユーザに与えるために発光体１４０が発光されるべき色、アニメーション、および／または速度を判断してもよい。定義参照エンジン２５２は、１つ以上の参照テーブルにアクセスして、判断されたステータスを表現するための適切な色、アニメーションおよび／または速度の組合わせを判断してもよい。
【００４０】
出力トリガエンジン２５３は、定義参照エンジン２５２によって選択された色、アニメーションおよび／または速度の適切な組合わせを用いさせて、光センサ１３０からのデータはハザード検出器２００の周囲環境における光が記憶されたしきい値明るさレベル以下であることの指示であるという判断、および／またはステータスの指示が出力された先のときから少なくともある量の時間が経過したという判断に応答して、発光体１４０を発光させてもよい。呈示モニタエンジン２５５は、最後にハザード検出器のステータスの指示が出力されてから少なくとも記憶されたしきい値時間期間が経過したかどうかを判断してもよい。しきい値時間期間が経過していない場合には、呈示モニタエンジン２５５は、発光体１４０をステータスに基づいて発光させない指示を出力トリガエンジン２５３に与えてもよい。
【００４１】
モーション解析エンジン２５４は、（記憶されたしきい値時間期間までの間）発光体１４０を介するステータスの呈示中および／またはその後、活性状態であってもよい。手振りのようなある特定の身振りがモーションセンサ２２５からのデータに基づいてモーション解析エンジンによって識別される場合には、ステータスについての詳細が音声出力モジュール２４０またはハザード検出器２００の何らかの他のコンポーネントを介して出力されてもよい。
【００４２】
先の詳述された実施の形態は、ハザード検出器の環境における炎、煙または一酸化炭素などのような危険を検出するよう構成されるハザード検出器に焦点を当てているが、本明細書において詳述される実施の形態は他の形式のイベントの検出に適合されてもよい。図
３は、無関係のイベントに応答して機能を実行してもよいシステム３００のブロック図を示す。システム３００は、１つ以上の形式のイベントを検出するよう構成されてもよい。そのようなイベントは危険として適格であってもなくてもよい。システム３００は、それぞれ図１および図２のハザード検出器１００および／またはハザード検出器２００の実施の形態を表わしてもよい。代替的に、システム３００は、処理システム３１０、機能モジュール３２０、イベント検出モジュール３３０、および出力モジュール３４０を含んでもよい。
【００４３】
機能モジュール３２０は、１つ以上の状態についてシステム３００の付近における環境を監視することなどのような、何らかの機能を実行するよう構成されてもよい。たとえば、これらの状態は危険であってもよい。しかしながら、機能モジュール３２０によって監視されている１つ以上の状態は危険以外であってもよいことが理解されるべきである。たとえば、機能モジュール３２０は、動作、温度、湿度、および／または何らかの他の状態もしくは物体の有無を監視してもよい。機能モジュール３２０は、監視機能以外の何らかの機能を実行してもよい。たとえば、機能モジュール３２０は、何らかの他のシステムのステータスチェックを実行してもよく、または何らかの他のコンポーネントもしくはシステムを起動するよう働いてもよい。機能モジュール３２０は、モータ、ポンプ、医療システム、コンピューティングデバイスなどの制御などのような任意の数のさまざまな機能を実行してもよい。機能モジュール３２０は入力を処理システム３１０に与えてもよい。さらに、処理システム３１０は機能モジュール３２０のステータスをチェックするよう構成されてもよい。
【００４４】
イベント検出モジュール３３０は、１つ以上のタイプのイベントについてシステム３００の付近を監視するよう構成されてもよい。このイベントは、処理システム３１０によって実行されるよう１つ以上のアクションをトリガしてもよい。たとえば、イベント検出モジュール３３０によって検出されるトリガ用イベントは、処理システム３１０に、機能モジュール３２０を起動させてもよく、および／または機能モジュール３２０などのようなシステム３００の１つ以上のコンポーネントのステータスチェックを実行させてもよい。イベント検出モジュール３３０によって検出されるイベントは、機能モジュール３２０の機能とは無関係であってもよい。イベント検出モジュール３３０は、ユーザがシステム３００についての情報を所望しそうなときと一致するイベントを検出するよう構成されてもよいが、このイベントはシステム３００の任意の他の機能の実行とは無関係であってもよい。たとえば、機能モジュール３２０が湿度を監視している場合に、イベント検出モジュール３３０は、システム３００の環境における明るさ、または温度、空中における化学物質もしくは他の物質の存在、動作、もしくは何らかの他のタイプのイベントもしくは条件のような何らかの他の条件に基づいてトリガするよう構成されてもよい。単純な例として、イベント検出モジュール３３０がシステム３００の付近における明るさを監視するよう構成される場合に、システム３００の付近における明るさレベルが予め規定される値に到達すると、処理システム３１０は、機能モジュール３２０のようなシステム３００の１つ以上のコンポーネントおよび／またはバッテリのようなオンボード電源に対してセルフテストまたはステータスチェックを実行してもよい。出力モジュール３４０を用いて、セルフテストまたはステータスチェックの結果を示す出力を与えてもよい。ある実施の形態では、セルフテストまたはステータスチェックがイベント検出モジュール３３０によって検出されるイベントに応答して実行されるのではなく、セルフテストまたはステータスチェックは、何らかの他のスケジュールに基づいて実行されてもよいが、セルフテストまたはステータスチェックの結果の指示は、イベントがイベント検出モジュール３３０によって検出されたことに応答して、出力モジュール３４０を介して出力されてもよい。
【００４５】
イベント検出モジュール３３０は、ユーザがシステム３００についての情報を所望しそうなときと一致するイベントを検出するよう構成されてもよい。１つの考えられ得る例は
、システム３００の周囲環境における光の明るさに基づく。たとえば、システム３００の付近内における光が増大するとき、それは、明かりがオンにされ、システム３００が存在する部屋にユーザが入ることに対応してもよい。同様に、システム３００の付近内における明るさが減少するとき、それは、明かりが消されて、システム３００が存在する部屋からユーザが出ることに対応してもよい。これらのイベントの両方ともが、ステータスチェックが実行されるか、またはステータスチェックの結果がユーザに出力されるための適切なときを表わしてもよい。たとえば、機能モジュール３２０が構造物の部屋内における状態を監視している場合には、部屋に入って明かりを点けると、ユーザはシステム３００のステータスを知ることは有用であることを見出すであろう。同様に、ある状況においては、ユーザは、システム３００が設置される構造物の部屋から出るとすぐにシステム３００のステータスがわかることは有用であることを見出すであろう。
【００４６】
出力モジュール３４０は、処理システム３１０によって実行されるセルフテストまたはステータスチェックの指示を与えるよう構成されてもよい。出力モジュール３４０は、ステータスまたはセルフテストの指示を視覚的に出力するよう構成されるコンポーネントを含んでもよく、および／またはステータスもしくはセルフテストの聴覚的指示を出力するように音声を出力するよう構成されるコンポーネントを含んでもよい。たとえば、出力モジュール３４０は、ハザード検出器１００および２００との関係において詳述されるように、１つ以上のスピーカおよび／またはＬＥＤなどのような１つ以上の発光体を含んでもよい。出力モジュール３４０は、処理システム３１０から、音声および／または視覚出力をトリガするデータを受信してもよい。ある実施の形態では、処理システム３１０は、出力モジュール３４０によって出力されるべき話し言葉メッセージを出力してもよい。システム３００の実施の形態は、さらに、図２のハザード検出器２００との関係において詳述されるもののようなコンポーネントを含むようさらに構成されてもよい。
【００４７】
図４は、ハザード検出器４００の実施の形態の外部の図である。ハザード検出器４００は、それぞれ図１〜図３のハザード検出器１００、ハザード検出器２００またはシステム３００を表わしてもよい。ハザード検出器４００は、ケース４１０、発光体４２０、および／または中央領域４３０を含んでもよい。ケース４１０は、壁または天井に取付けられるよう構成されるハザード検出器４００の外殻を表わしてもよい。ケース４１０は、ハザード検出器４００を通る気流を可能にして、ハザード検出器４００内の１つ以上のセンサがハザード検出器４００の周囲環境の空気に晒されることを許してもよい。取付けのために用いられる側とは反対側のケース４１０の側には、発光体４２０が存在してもよい。発光体４２０はＬＥＤなどのような１つ以上の光源を含んでもよい。発光体４２０は、さまざまな色および／またはさまざまな発光パターンを、おそらくはそのようなパターンがさまざまな速度で呈示される状態で呈示するよう構成されてもよい。たとえば、発光体４２０は、循環効果、点滅、および／または消光を生じさせるように見える発光パターンを呈示するよう構成されてもよい。発光体４２０を用いてハザード検出器４００のステータスに関する情報を与えてもよい一方で、発光体４２０を、さらに用いて、周囲の照明を与えてもよい。たとえば、ハザード検出器４００によって動作が検出され、周囲の照明がしきい値よりも下であると判断された場合に、ステータスと関連付けられない色が発光体４２０によって出力されてもよい。さらに、ある実施の形態ではハザード検出器４００は、そのような特徴がユーザによって可能化もしくは不能化されているかどうか、および／または（たとえばユーザがハザード検出器４００を寝室内に設置されているとして分類したかどうかを判断することによって）ハザード検出器４００が寝室に設置されているかどうかを判断してもよい。
【００４８】
発光体４２０は円形（またはハロー）として示されているが、ハザード検出器４００の他の実施の形態では、他の形状を発光体４２０のために用いてもよいことが理解されるべきである。たとえば、発光体４２０は、楕円形、四角形、三角形、何らかの他の幾何学的
形状、何らかの他の抽象的な形状、または線であってもよい。同様に、一部の実施の形態では、ケース４１０は、丸められた縁部を有する方形または矩形である。そのような設計は見て楽しい一方で、幾何学的または抽象的の両方である他の形状を用いてハザード検出器４００の機能コンポーネントを収容してもよい。ある実施の形態では、発光体４２０は、ハザード検出器４００内で生成された光を反射するケースの窪んだ部分を表わしてもよい。たとえば、１つ以上のＬＥＤがケース４１０内において中央領域４３０の後ろなどに位置してもよく、発光体４２０の形状でケース４１０の窪んだ部分から反射される光を出力してもよい。
【００４９】
中央領域４３０は、レンズを含んでもよく、それをモーションセンサと関連して用いることにより、ユーザが存在するかどうかを判断し、および／または身振り手振りがユーザによって実行されたかどうかを検出してもよい。中央領域４３０は、二重の機能を供してもよく、つまり、レンズとして、およびハザード検出器４４０に入力を与えるようユーザによって押されることができるボタンとして、機能してもよい。ある実施の形態では、中央領域４３０はボタンのみである。中央領域４３０がボタンである場合には、中央領域４３０を発光体４２０によって丸く取囲むことによって、発光体が発光されたときにユーザが暗い環境においてボタンを見つけ出すことを容易にしてもよい。そのような状況においては、ユーザは、ボタンを作動させるために、光の円または発光体４２０によって規定される他の領域内を押すだけでよいであろう。
【００５０】
図５は、複数の発光素子を発光体の一部として用いるハザード検出器５００の実施の形態の外部の図である。ハザード検出器５００においては、複数のＬＥＤを発光体５２０の一部としての発光素子として用いる。ハザード検出器５００は図４のハザード検出器４００の実施の形態を表わしてもよい。ハザード検出器５００は、それぞれ図１〜図３のハザード検出器１００、ハザード検出器２００、またはシステム３００を含んでもよい。発光体５２０は複数のＬＥＤを含んでもよい。図５においては、発光体５２０は２６個のＬＥＤからなる。図５に示されるＬＥＤの数は単なる例示であることが理解されるべきである。たとえば、より少ない数またはより多い数のＬＥＤを用いて発光体５２０を形成してもよい。特定の例として、５つのＬＥＤを発光体５２０の一部として用いてもよい。複数のＬＥＤを用いることによって、発光体５２０の一部のみが所与の時間に発光され、ならびに／または発光体５２０のさまざまな部分が所与の時間に異なる色および／もしくは異なる明るさレベルで発光される、さまざまな発光効果が形成されてもよい。一例として、発光体５２０のＬＥＤは、光を生成しないことから、規定された明るさレベルまで徐々に明るくなり、次いで、即座に、または規定された時間期間の後、光を生成しないことに徐々に戻ってもよい。
【００５１】
ある実施の形態では，ＬＥＤを発光体５２０の一部として用いてもよく、それはケース５１０上に存在してもよい。他の実施の形態では、蛍光または白熱技術を用いる光源などのような、可視光を形成する他の形式のコンポーネントをＬＥＤの代わりに用いてもよい。さらに、発光体５２０は、図５においては、円形に配置されるとして示される。他の実施の形態では、発光体５２０は、楕円形、方形、矩形、線形または何らかの抽象的な形状のような他の形状に配置されてもよいことが理解されるべきである。
【００５２】
図６は、円形パターンの光を出力するハザード検出器の実施の形態の外部の図を示す。ハザード検出器６００は、図６においては２段階で示されているが、図５のハザード検出器５００および／または図４のハザード検出器４００を表わしてもよい。ハザード検出器６００は、それぞれ、図１〜図３のハザード検出器１００、ハザード検出器２００、またはシステム３００を含んでもよい。図６は、発光効果を出力するハザード検出器６００を示す。この発光効果は（大まかに）円形パターンで出力され、循環効果またはハロー効果とも称され得る。
【００５３】
ハロースィープ効果とも称されるこの発光効果は、発光体５２０の、ＬＥＤのような、さまざまな発光素子が所与の時間に異なる明るさレベルで発光されることによって引起され得る。発光体５２０の発光素子は逐次発光され、次いで徐々に消光される。この効果は、光の点が尾を伴って発光体５２０の周りをスピンするように見える結果となる。ハザード検出器６００を見るユーザは循環またはハロー効果を見て、発光効果および／または発光体５２０によって出力されている光の色に基づいてハザード検出器のステータスを理解してもよい。ある実施の形態では、循環効果が出力されているとき、発光体５２０の各発光素子は同じ色を出力してもよく、または複数の色が異なる発光素子によって出力されてもよい。仮想の矢印６０１は循環効果を示し、反対方向も可能である。発光素子が図６においてより暗く影を付けられれば付けられるほど、発光素子はより明るく発光されてもよい。したがって、ある実施の形態では、第１の発光素子は明るくてもよく、一方、そのすぐ後ろの発光素子は僅かにより暗くてもよい、などとなる。仮想の矢印６０２はハザード検出器６００の循環効果を、異なる発光素子が今度は最も明るい発光素子であり、後の発光素子が漸進的により明るくなく発光される、後のときにおいて示す。
【００５４】
図７は、円形に配置される発光素子７００の実施の形態を示す。そのようなパターンの発光素子（たとえばＬＥＤライト）は、ハザード検出器の周方向に配置されたリング部分上に結合されてもよい。そのようなパターンは５つの発光素子：発光素子７０２、７０４、７０６、７０８および７１０を含み得る。発光素子７００はある数のパターンに従ってオンおよびオフにされてもよく、各々は異なる色相範囲を介して循環してもよい。発光素子の各々の色も、さらなるさまざまな視覚的効果を提供するために変動してもよい。５つの発光素子が示されているが、より少ない数またはより多い数の発光素子がハザード検出器または何らかの他の形式の装置の発光体として組入れられてもよいことが理解されるべきである。
【００５５】
図８Ａ〜図８Ｄはハザード検出器の発光体を用いて生成されてもよい（アニメーションとも称される）４つの視覚的効果の実施の形態を示す。図８Ａは、発光素子７０２、７０４、７０６、７０８および７１０（図７に示される）のすべてが同時にオンおよびオフにされるときに形成されてもよいパルス状効果の表現を示す。代替的に、発光素子７０２、７０４、７０６、７０８および７１０のすべてが、それら各々が生じさせる光の明るさを、パルス状効果を形成するよう同期された態様で増大および低減してもよい。
【００５６】
図８Ｂは、回転効果を形成するよう発光素子７０２、７０４、７０６、７０８および７１０のすべてが時計回り方向にシーケンシャルにオンおよびオフされるときに形成されてもよい（循環効果またはハロースィープ効果とも称される）回転効果の表現を示す。さらに、発光体をオンおよびオフにすることは徐々になされてもよい。たとえば、発光素子７０４を徐々にオフにし、発光素子７０２を徐々にオンにし、一方で発光素子７０６、７０８および７１０は等しい明るさでオンにされる。図１０は、ある実施の形態に従って図８Ｂ（および図６）の回転する視覚的効果のさらなる表現を示す。左から右に見て、図１０は、新たな光が回転する視覚的効果の一方端でオンになり、他の光が回転する視覚的効果の他方端で徐々にオフになるのを示す。シーケンシャルな表現の各々のハッチングされたパターンは回転する光が回転シーケンス中にどのように色を変化させ得るかを示す。発光素子７０２、７０４、７０６、７０８および７１０は各々個々に異なる色であってもよいが、色付けられた光の混合によって、回転する視覚的効果の色は視覚的効果の過程で常に変化する。
【００５７】
図８Ｃは、（図７に示される）発光素子７００が側部から側部への方向においてオンおよびオフにされるときに形成されてもよい波状視覚的効果の表現を示す。たとえば、図８において示されるように所与の時間の点において、発光素子７１０が最も明るく、発光素
子７０８および７０２が次に最も明るく、発光素子７０６および７０４が最も明るくなくてもよい。その後間もなく、発光体は明るさを線形の態様で徐々に変化させ、発光素子７０４および７０６が最も明るく、発光素子７０８および７０２が次に最も明るく、発光素子７１０が最も明るくないようにしてもよい。
【００５８】
図８Ｄは、発光素子７００の各々が、色相範囲パターンを介して、各発光素子の色相範囲パターンが発光体のすべてと同期していない状態で循環するときに形成され得る微光視覚的効果の表現を示す。図１１は、ある実施の形態に従って、微光視覚的効果のために発光素子７００の各々と関連付けられる異なる色相範囲パターンを示す。発光素子７０２、７０４、７０６、７０８および７１０が同期を外れる程度は、微光視覚的効果の変動を形成するために変動されてもよい。
【００５９】
図９Ａおよび図９Ｂは、ハザード検出器の発光体を用いて生成されてもよいパルス視覚的効果の実施の形態を示す。図９Ａは、電源オフまたは電源が利用可能でない状況に対するオンおよびオフパターンを表わし、パルスアニメーションが、気を動転させないような態様で警戒を与えるために、パルスを介して滑らかに遷移する。図９Ｂは、視覚的効果を介して選択可能な選択肢をユーザに呈示する際に用いられ得る左から右へのパルスパターンを表わす。たとえば、（図４の中央領域４３０などのような）ボタンを用いて、最初のセットアップ手順中にハザード検出器４００の動作のために言語選好を選択してもよい。ユーザは、左側が英語に対してパルス化しているとき、および右側が中国語に対してパルス化しているとき、そのようなボタンを押すよう求められるかも知れない。したがって、ユーザは、ユーザの所望する選択に関連付けられる側の光がパルス化するかまたは他の態様で発光されるまで待機してもよい。ある実施の形態では、ボタンを押すのではなく、ユーザは手を１回または複数回振るなどのような身振りを実行してもよい。
【００６０】
さまざまな実施の形態では、上記の視覚的効果を多数の異なる態様で変動させ得る。たとえば、各効果は、ある特定の数のアニメーションサイクルに対して、より速くまたはより遅く、より明るくまたはより暗く、光の一部のみが関与する状態で、および異なる色、たとえば白、青、緑、黄、赤および／または複数色の混合を用いて、アニメーション化されてもよい。
【００６１】
これらの視覚的効果は、さまざまな特定化された目的のために、ここに詳述されるハザード検出器によって生成されてもよい。たとえば、特定の色、アニメーション、アニメーション速度など、またはそれらの組合せは、ハザード検出器によって与えられる以下の警戒または通知：起動すること、言語を選択すること、接続に対して準備ができていること、クライアントに接続されること、ボタンが押されること、ボタンがテストのために押されること、テストへのカウントダウン、テスト進行中、テスト完了、予警報、煙警報、一酸化炭素警報、熱警報、複数基準警報、警報後消音されること、後警報、問題、夜間灯状態、リセット、シャットダウン開始、シャットダウン、安全発光、バッテリが非常に低い状態、バッテリ臨界状態、電力確認などの１つ以上を表わしてもよい。例示的に、および限定としてではなく、図１２および図１３は、ハザード検出器の実施の形態によって用いられてもよい視覚的効果および色のための例示的な「視覚的語彙」を表わす。
【００６２】
図１１は、ある実施の形態に従って、微光視覚的効果のために発光素子７００の各々に関連付けられるさまざまな色相範囲パターンを示す。発光素子（図１１においてはＬＥと省略される）７０２、７０４、７０６、７０８および７１０が同期しない程度は、微光視覚的効果の変動を形成するために変動されてもよい。示されるように、各発光素子は、時間が進むにつれて、２つの色相の間で明るさが増大および低減させられる。発光素子の一部またはすべてが「同期しない」というのは、発光素子が、同じパターンに従って発光しながら、異なるときにそうするという点においてである。図１１に示されるパターンは、
より少ない数またはより多い数の発光素子に対して適合され得ることが理解されるべきである。さらに、波形は、異なる視覚的効果を生じさせるために変更され得る。
【００６３】
図１２は、図１〜図６のハザード検出器のようなハザード検出器によって用いられてもよい視覚的効果に対する定義の実施の形態１２００を示す。色定義１２１０、アニメーション定義１２２０、速度定義１２３０がハザード検出器によって記憶されてもよく、またはクラウドベースのサーバ（たとえばクラウドコンピューティングシステム１５６４）などのような何らかの遠隔位置からハザード検出器によってアクセス可能であってもよい。そのような色、アニメーションおよび／または速度定義は、ユーザに対して、購入時にハザード検出器とともに提供されるクイックリファレンスシートまたはマニュアルのような形式で提供されてもよい。したがって、ユーザは、特定の視覚的効果の意味を知るかまたは参照することができる。各色、アニメーションおよび速度は個別化された意味を有してもよい。たとえば、アニメーションの速度を用いて緊急度のレベルを示してもよい。アニメーションを用いて、肯定応当（「ＯＫ」）、注意が必要とされる指示、および／または何らかの他のステータスを与えてもよい。速度との関連において用いられるそのようなアニメーションは、ユーザに対して、そのアニメーションに関連付けられるステータスがどのように緊急であるかに関して警戒させてもよい。さらに、さまざまな色を組込んで、ユーザに対して、「ＯＫ」に対しては緑色、「何かが不都合であるかも知れない」または警告に対しては黄色、「何かが絶対的に不都合である」に対しては赤色など、より多くの情報を提供してもよい。他の色を他の形式のメッセージに対して用いてもよい。さらに、白など、別の色が、先に詳述されたようなある状況においてハザード検出器によって与えられる周囲照明に対する色によって用いられてもよい。例として、バッテリが、低い状態ではあるが、取換えられる必要はまだない場合には、色は、黄色であってもよく（「何かが不都合かも知れない」）、アニメーションは「これが私のステータスです」であってもよく、速度は低速であってもよい。バッテリが取換えられない場合には、速度は、ある時間の後、速く遷移してもよい。一旦バッテリが取換えられなければならなくなると、色は赤であってもよく（「何かが絶対的に不都合である」）、アニメーションは循環であってもよく（「私は貴方の注意を必要としています」）、速度は高速（または警報）であってもよい。したがって、バッテリは複数の電圧しきい値に対してチェックされてもよく−電圧が低ければ低いほど、呈示されるステータスはより緊急である。
【００６４】
ある実施の形態では、色定義１２１０、アニメーション定義１２２０、および速度定義１２３０を独立して用いることにより、色、アニメーション、および速度を、ハザード検出器によって、ハザード検出器のステータスチェックに基づいて選択してもよい。参照を、色定義１２１０、アニメーション定義１２２０、および速度定義１２３０を用いて実行することにより、ハザード検出器によって判断されるステータスに対応する色、アニメーションおよび速度を選択してもよい。色定義１２１０、アニメーション定義１２２０および／または速度定義１２３０から選択された色、アニメーションおよび／または速度をハザード検出器によって用いることにより、ハザード検出器の発光体を介してステータスを出力してもよい。
【００６５】
図１３は、図１〜図６のハザード検出器のようなハザード検出器によって用いられてもよい視覚的効果（アニメーションとも称される）および色のさまざまな組合せの実施の形態１３００を示す。そのような組合せは参照テーブルの形式でハザード検出器によって記憶されてもよく、またはクラウドベースのサーバシステム（たとえばクラウドコンピューティングシステム１５６４）などのような遠隔のコンピュータ化された装置からネットワークを介してアクセス可能であってもよい。一旦ステータスがハザード検出器によって判断されると、実施の形態１３００に呈示されるようなテーブルを用いて、ステータスの指示を出力するために用いるアニメーション、色および／または速度を判断してもよい。色１３０１は赤であってもよく、色１３０２は黄色であってもよく、色１３０３は緑であっ
てもよく、色１３０４は青であってもよく、色１３０５は白であってもよい。他の色割当ても可能である。色、視覚的効果、および／または速度の定義はハザード検出器によって記憶されてもよい。ステータスチェック中にハザード検出器によって判断された状態に応答して、ハザード検出器の処理システムは発光体を発光するのに用いる色、視覚的効果、および／または速度の適切な組合せを参照するかまたはそうでなければ判断してもよい。発光体は、次いで、判断された組合せに従って発光されて、情報を１人以上のユーザに伝えてもよい。ここでも、色およびアニメーションの定義は、ユーザに対して、購入時にハザード検出器とともに提供されるクイックリファレンスシートまたはマニュアルのような形式で提供されてもよい。
【００６６】
図１４は、ハザード検出器によって検出される身振り手振りを実行するユーザの実施の形態１４００を示す。ユーザ１４２０は、ハザード検出器１４１０に入力を与えるために手を振る動作を実行している。ハザード検出器１４１０は、図１〜図６との関連において詳述されたもののような、先に詳述されたハザード検出器の１つを表わしてもよい。ユーザ１４２０によって実行される手振りはユーザの手を１回振ることまたは複数回振ることからなってもよい。示される実施の形態１４００は手振りに焦点を当てているが、他の形式の身振り手振りがユーザ１４２０によって実行されハザード検出器１４１０によって検出されてもよいことが理解されるべきである。ハザード検出器１４１０は、ハザード検出器１４１０の発光体を介して情報が呈示された後、予め規定された時間の量の間、身振り手振りがユーザ１４２０によって実行されるのを監視してもよい。たとえば、ハザード検出器１４１０の発光体がちょうどステータスを呈示した場合、１０秒間などのような予め規定される時間期間の間、ハザード検出器１４１０は身振り手振りがユーザ１４２０によって実行されるのを監視してもよい。この予め規定された時間期間内に身振り手振りが検出される場合には、ハザード検出器１４１０の発光体によって呈示されるステータスについての詳細が与えられてもよい。ステータスはまず発光体を用いて呈示されたが、ステータスについてのさらなる詳細は聴覚的情報を用いて呈示されてもよい。たとえば、話し言葉メッセージをハザード検出器１４１０によって大音量で再生してもよい。１つの例として、ハザード検出器１４１０が、発光体を介して、緑色のパルス状のステータス更新を出力し、ユーザが手を振る手振りを実行する場合には、話し言葉メッセージをハザード検出器１４１０によって出力して、「すべてのコンポーネントは通常通りに機能しています。」と言ってもよい。別の例として、ハザード検出器１４１０は発光体を介して黄色のパルス状のステータス更新を出力し、ユーザ１４２０が手を振る手振りを実行する場合には、話し言葉メッセージをハザード検出器１４１０によって出力して、「バッテリは低い状態です。バッテリを貴方の最も早いご都合のよいときに交換して下さい。」と言ってもよい。
【００６７】
実施の形態１４００においてわかるように、ユーザ１４２０がハザード検出器１４１０に物理的に達することは難しいかも知れない。したがって、ユーザがハザード検出器１４１０に効率よく入力を与えるためには、ユーザが、ハザード検出器１４１０に物理的に接触する必要なく入力を与えることができるよう、身振り手振りが好ましくあり得る。ハザード検出器１４１０は、モーション検出をハザード検出器１４１０の下の円錐領域に向けるレンズを有してもよい。そのような身振り手振りおよびモーション検出のターゲット化は、迷った動きが身振り手振りとして解釈されるのを防ぐのに好ましいかも知れない。
【００６８】
ハザード検出器（および他の装置）は、ここに詳述されるように、スマートホーム環境において設置されてもよい。図１５は、スマートホーム環境１５００の一例が示され、そこにおいては、図１−図６に関して詳述されたハザード検出器のような、ここにさらに記載される装置、方法、システム、サービスおよび／またはコンピュータプログラム製品のうちの１つ以上が適用可能である。示されるスマートホーム環境１５００は構造物１５５０を含み、それは、たとえば、家屋、オフィスビルディング、ガレージ、移動住宅などを
含み得る。アパート、コンドミニアムまたはオフィス空間などのような全体構造１５５０を含まないスマートホーム環境１５００にも装置を統合することができることが十分に理解される。さらに、スマートホーム環境は、実際の構造物１５５０の外の装置を制御し、および／またはそれに結合され得る。実際、スマートホーム環境におけるいくつかの装置は、物理的に構造物１５５０内にある必要が全くない。たとえば、プールヒータまたは潅漑システムを制御する装置は、構造物１５５０の外部に位置し得る。
【００６９】
示される構造物１５５０は、互いから壁１５５４を介して少なくとも部分的に分離される複数の部屋１５５２を含む。壁１５５４は内壁または外壁を含み得る。各部屋は、さらに、床１５５６および天井１５５８を含み得る。装置は、壁１５５４、床１５５６または天井１５５８上に取付けられるか、それ（ら）と統合されるか、および／またはそれ（ら）によって支持され得る。
【００７０】
ある実施の形態では、図１５のスマートホーム環境１５００は、さまざまな有用なスマートホーム目的のうちの任意のものを与えるよう、互いと、および／または中央サーバもしくはクラウドコンピューティングシステムと途切れ目なく統合し得るインテリジェントな、マルチ検知の、ネットワーク接続された装置を含む、複数の装置を含む。スマートホーム環境１５００は、１つ以上のインテリジェントな、マルチ検知の、ネットワーク接続されたサーモスタット１５０２（以下、「スマートサーモスタット１５０２」と呼ぶ）、１つ以上のインテリジェントな、ネットワーク接続されたハザード検出器１５０４、および１つ以上のインテリジェントな、マルチ検知の、ネットワーク接続されたエントリウェイインターフェイス装置１５０６（以下、「スマートドアベル１５０６」と呼ぶ）を含んでもよい。実施の形態によれば、スマートサーモスタット１５０２は、周囲の環境特性（たとえば温度および／または湿度）を検出し、ＨＶＡＣシステム１５０３をそれに従って制御する。ハザード検出器１５０４は、危険な物質または危険な物質を示す物質（たとえば煙、炎または一酸化炭素）の存在を検出してもよい。スマートドアベル１５０６は、ある場所（たとえば外側ドア）への人の接近もしくはある場所からの人の退去を検出し、ドアベル機能を制御し、音声手段もしくは視覚手段を介して人の接近もしくは退去を知らせ、またはセキュリティシステムにおける設定を制御して（たとえば占有者が行き来するときにセキュリティシステムを活性化または非活性化させて）もよい。
【００７１】
いくつかの実施の形態では、図１５のスマートホーム環境１５００は、さらに、１つ以上のインテリジェントな、マルチ検知の、ネットワーク接続された壁スイッチ１５０８（以下、「スマート壁スイッチ１５０８」と呼ぶ）を、１つ以上のインテリジェントな、マルチ検知の、ネットワーク接続された壁プラグインターフェイス１５１０（以下、「スマート壁プラグ１５１０」と呼ぶ）とともに、含む。スマート壁スイッチ１５０８は、周囲の照明状態を検出し、部屋占有状態を検出し、１つ以上の照明の出力および／または薄暗い状態を制御してもよい。いくつかの例では、スマート壁スイッチ１５０８は、さらに、天井ファンなどのファンの出力状態または速度を制御してもよい。スマート壁プラグ１５１０は、部屋または構内の占有を検出し、（たとえば家に誰もいない場合には電力がプラグに供給されないように）１つ以上の壁プラグに対する電力の供給を制御してもよい。
【００７２】
さらに、さらなるいくつかの実施の形態においては、図１５のスマートホーム環境１５００は、冷蔵庫、ストーブおよび／またはオーブン、テレビ、洗濯機、乾燥機、照明、ステレオ、インターコムシステム、ガレージ扉開閉器、床ファン、天井ファン、壁空調装置、プールヒータ、潅漑システム、セキュリティシステム、などのような、複数のインテリジェントな、マルチ検知の、ネットワーク接続された機器１５１２（以下、スマート機器１５１２）を含む。実施の形態によれば、ネットワーク接続された機器１５１２は、機器のそれぞれの製造業者と協働することによって、スマートホーム環境と互換性があるようにされる。たとえば、機器は、暖房機器、窓ＡＣユニット、電動ダクトベントなどであり
得る。プラグを差込まれると、機器は、それがどのようなタイプの機器であるかを示すことによってなど、それ自体がスマートホームネットワークに対して告知することができ、それはスマートホームの制御と自動的に統合できる。そのような機器のスマートホームに対する通信は、当業者に公知の任意の有線または無線通信プロトコルによって容易にされることができる。スマートホーム環境は、さらに、スマート壁プラグ１５１０によって、粗くではあるが（ＯＮ／ＯＦＦ）、制御され得る、古い従来の洗濯機／乾燥機、冷蔵庫などのような、さまざまな、通信を行なわない、旧来の機器１５４０を含み得る。スマートホーム環境１５００は、さらに、ハザード検出器１５０４もしくはスマート壁スイッチ１５０８によって与えられるＩＲ（赤外線）信号によって制御され得る、ＩＲ制御される壁空調機または他のＩＲ制御される装置のような、さまざまな、部分的に通信を行なう旧来の機器１５４２を含み得る。
【００７３】
実施の形態によれば、スマートサーモスタット１５０２、ハザード検出器１５０４、スマートドアベル１５０６、スマート壁スイッチ１５０８、スマート壁プラグ１５１０、およびスマートホーム環境１５００の他の装置はモジュール方式であり、より古い家屋および新しい家屋に組込むことができる。たとえば、それらの装置は、２つの基本的なコンポーネント、つまりヘッドユニットと、ドッキングステーションとも称されるバックプレートとからなるモジュール方式のプラットフォームの周りに設計される。より古い住宅およびより新しい住宅などのような任意の住宅と互換性があるように、ドッキングステーションの複数の構成が提供される。しかしながら、ドッキングステーションのすべては標準的なヘッド接続構成を含み、任意のヘッドユニットが任意のドッキングステーションに取外し可能に取付けられることができる。したがって、ある実施の形態では、ドッキングステーションは、構造物への物理的な接続および住宅の電圧配線として働くインターフェイスであり、交換可能なヘッドユニットは、センサ、プロセッサ、ユーザインターフェイス、バッテリ、および装置の他の機能コンポーネントのすべてを含む。
【００７４】
スマートホーム環境１５００は、さらに、物理的な住宅の外側ではあるが、その住宅の近くの地理的範囲内にある装置との通信を含んでもよい。たとえば、スマートホーム環境１５００は、スマートホーム環境１５００内における他の装置に対して現在のプールの温度を通信するか、またはプールの温度を制御するためのコマンドを受信するプールヒータモニタ１５１４を含んでもよい。同様に、スマートホーム環境１５００は、スマートホーム環境１５００内で灌漑システムに関する情報を通信し、および／またはそのような灌漑システムを制御するための制御情報を受信する灌漑モニタ１５１６を含んでもよい。実施の形態によれば、住宅の郵便番号または地理的座標に基づくなどのような、スマートホーム環境１５００の地理的な位置を考慮するためにアルゴリズムが提供される。地理的情報を用いて、散水のための最適な時間を判断するために助けとなるデータを得、そのようなデータは太陽の位置情報、温度、露点、住宅が位置する土地の土のタイプなどを含んでもよい。
【００７５】
ネットワーク接続性により、図１５のスマートホーム装置の１つ以上は、さらに、たとえユーザが装置の近くにいなくても、ユーザがその装置と対話することを可能し得る。たとえば、ユーザは、コンピュータ（たとえばデスクトップコンピュータ、ラップトップコンピュータもしくはタブレット）または他の携帯電子装置（たとえばスマートフォン）１５６６を用いて装置と通信し得る。あるウェブページまたはアプリケーションは、ユーザから通信を受信し、その通信に基づいて装置を制御するよう、および／またはその装置の動作についての情報をユーザに呈示するよう構成され得る。たとえば、ユーザは、コンピュータを用いて、装置のための現在の設定点温度を見て、それを調整することができる。ユーザは、この遠隔通信中において構造物内にいるか、または構造物の外部にいることができる。
【００７６】
論じられるように、ユーザは、ネットワーク接続されるコンピュータまたは携帯電子装置１５６６を用いて、スマートサーモスタット、ハザード検出器１５０４、およびスマートホーム環境１５００における他のスマート装置を制御し、それらと対話し得る。ある例では、占有者（たとえば住宅に住んでいる個人など）の一部またはすべてが彼らの電子装置１５６６をスマートホーム環境１５００に登録することができる。そのような登録は、中央サーバにおいてなされて、占有者および／または装置が住宅と関連付けられるとして承認し、および占有者に対して装置を使用する許可を与えて住宅におけるスマート装置を制御することができる。占有者は、彼らの登録された電子装置１５６６を用いて、占有者が仕事中であるかまたは休暇中であるときなどに、住宅のスマート装置を遠隔制御することができる。占有者は、さらに、彼らの登録された装置を用いて、占有者が住宅内でカウチに座っているときなどのように、占有者が実際に住宅内にいるときに、スマート装置を制御してもよい。電子装置１５６６を登録する代わりに、またはそれに加えて、スマートホーム環境１５００は、どの個人が住宅に住んでおり、したがって占有者であるか、およびどの電子装置１５６６がそれらの個人と関連付けられているかについての推測を行なう。したがって、スマートホーム環境は、誰が占有者であり、それらの個人と関連付けられる電子装置１５６６に住宅のスマート装置をコントロールすることを許可するかを「知る」。
【００７７】
ある実施の形態では、処理および検知能力を含むことに加えて、装置１５０２、１５０４、１５０６、１５０８、１５１０、１５１２、１５１４および１５１６の各々（まとめて、「スマート装置」と呼ぶ）は、任意の他のスマート装置、および世界中の任意の場所でネットワーク接続される任意の中央サーバもしくはクラウドコンピューティングシステムまたは任意の他の装置とのデータ通信および情報共有が可能である。必要とされるデータ通信は、さまざまなカスタムもしくは標準無線プロトコル（セルラー、３Ｇ／４Ｇ、Ｗｉ−Ｆｉ（登録商標），ＺｉｇＢｅｅ（登録商標），６ＬｏＷＰＡＮ，ＢＬＥなど）のうちの１つ以上、および／またはさまざまなカスタムもしくは標準有線プロトコル（ＣＡＴ６  Ｅｔｈｅｒｎｅｔ（登録商標），ＨｏｍｅＰｌｕｇなど）を用いて、実行され得る。用いられ得る１つの特定の有用なプロトコルは、Thread Groupによって公表され、802.15.4, IETF IPv6, および6LoWPANに基づくThreadプロトコルである。一部の実施の形態については、直接的であるかまたはＡＣ電力アダプタを介する家庭電源電流によって電力を供給される装置は、相対的に電力集中型であり得るWi-Fiと、Threadおよび／またはＢＬＥ
などのような１つ以上のより小電力のプロトコルとの組合せを与えられ得る。対照的に、家庭電源電流によって電力を供給されず、大容量バッテリ源に対するアクセスを有さない、電力制約される装置は、Threadおよび／またはＢＬＥなどのような１つ以上の小電力プロトコルのみを与えられる。一部の場合においては、家庭電源電流によって電力を供給されないが、妥当に大容量のバッテリ源に対するアクセスを有する装置は、Wi-FiとThread
および／またはＢＬＥのような１つ以上のより小電力のプロトコルとの組合せを、Wi-Fi
通信が、短い周期的な時間間隔中のみにおいて（たとえばログをアップロードしクラウドから更新を受信するべく１日に１回など）、特定の装置により検知されるイベント中において、または装置上のボタンを押すことなどによってユーザが装置を物理的に起動したときにオンにされるなどのように、時間的に制約されるよう制御される状態で、与えられ得る。ここに記載されるハザード検出器は２つの異なるＳＫＵを与えられ得、一方のＳＫＵはバッテリ補助を伴って本線電源から電力供給され、他方のＳＫＵは相対的に大きなバッテリ源（たとえば６つのリチウムＡＡセル）とはいえ、バッテリのみである。このバッテリのみのＳＫＵに対しては、ハザード検出器は、好ましくは、時間的に制約されるWi-Fi
とThreadおよび／またはＢＬＥなどのような１つ以上のより小電力のプロトコルとの組合せが与えられる。
【００７８】
実施の形態によれば、スマート装置のすべてまたはいくつかは無線または有線リピータとして働くことができる。たとえば、スマート装置のうちの第１のものは無線ルータ１５
６０を介してスマート装置のうちの第２のものと通信することができる。スマート装置は、さらに、インターネット１５９９などのようなネットワークへの接続を介して互いと通信し得る。インターネット１５９９を介して、スマート装置はクラウドコンピューティングシステム１５６４と通信することができ、クラウドコンピューティングシステム１５６４は、１つ以上の集中化または分散されたサーバシステムを含むことができる。クラウドコンピューティングシステム１５６４は、装置と関連付けられる製造業者、サポートエンティティまたはサービスプロバイダと関連付けられ得る。一実施の形態では、ユーザは、電話またはインターネット接続されたコンピュータなどのような他の通信手段を用いる必要なく、装置それ自体を用いてカスタマーサポートと連絡をとることができてもよい。さらに、ソフトウエア更新を、クラウドコンピューティングシステム１５６４から装置に（たとえば、利用可能なとき、購入されたとき、またはルーチン間隔で）自動的に送信することができる。
【００７９】
実施の形態によれば、スマート装置は、スマートホーム環境１５００においてスポークスマンノードおよび小電力ノードのメッシュネットワークを形成するよう組合され、スマート装置のいくつかは「スポークスマン」ノードであり他のものは「小電力」ノードである。スマートホーム環境１５００におけるスマート装置のいくつかはバッテリによって電力供給され、一方他のものはスマートホーム環境の壁１５５４の後ろの配線（たとえば１２０Ｖ線間電圧配線）に接続することなどによって、常備の信頼性のある電源を有する。常備の信頼性のある電源を有するスマート装置は「スポークスマン」ノードと称される。これらのノードは、任意の無線プロトコルまたは態様を用いて、スマートホーム環境１５００におけるさまざまな他の装置のうちの任意のもの、およびクラウドコンピューティングシステム１５６４との双方向通信を容易にする能力を備える。他方、バッテリによって電力を供給される装置は「小電力」ノードと称される。これらのノードは、スポークスマンノードよりも小さい傾向があり、Zigbee, 6LoWPANなどのような非常に小さい電力を必
要とする無線プロトコルを用いてしか通信できない。さらに、一部であって、すべてではないが、小電力ノードは双方向通信ができない。これらの小電力ノードはメッセージを送信するが、それらは「リスニング」することができない。したがって、スポークスマンノードのような、スマートホーム環境１５００における他の装置はこれらの小電力ノードに対して情報を送信することができない。
【００８０】
記載されるように、スマート装置は小電力ノードおよびスポークスマンノードとして働いて、メッシュネットワークをスマートホーム環境１５００において形成する。スマートホーム環境における個々の小電力ノードは、それらが何を検知しているかについての情報を定期的に送出し、スマートホーム環境における他の小電力ノードは、それら自身のメッセージを送出することに加えて、メッセージを繰返し、それによって、メッセージを、スマートホーム環境１５００中においてノードからノード（つまり装置から装置）へと伝わらせる。スマートホーム環境１５００におけるスポークスマンノードは小電力通信プロトコルに「ドロップダウン」して、これらのメッセージを受信し、メッセージを他の通信プロトコルに翻訳し、翻訳されたメッセージを他のスポークスマンノードおよび／またはクラウドコンピューティングシステム１５６４に送信することができる。したがって、小電力通信プロトコルを用いる小電力ノードは、メッセージを、スマートホーム環境１５００全体にわたって、およびインターネット１５６３を介してクラウドコンピューティングシステム１５６４に送信することができる。実施の形態によれば、メッシュネットワークは、クラウドコンピューティングシステム１５６４が、データを住宅におけるスマート装置のすべてから定期的に受信し、そのデータに基づいて推測を行ない、スマート装置の１つにコマンドを送信し戻して、ここに記載されるスマートホーム目的の一部を達成することを可能にする。
【００８１】
記載されるように、スポークスマンノードおよび小電力ノードのいくつかは「リスニン
グ」することができる。したがって、ユーザ、他の装置、およびクラウドコンピューティングシステム１５６４は小電力ノードに対して制御を通信することができる。たとえば、ユーザは携帯電子装置（たとえばスマートフォン）１５６６を用いてコマンドをインターネットを介してクラウドコンピューティングシステム１５６４に送信することができ、それは、次いで、コマンドをスマートホーム環境１５００におけるスポークスマンノードに中継する。スポークスマンノードは小電力プロトコルにドロップダウンして、コマンドを、スマートホーム環境中における小電力ノード、およびクラウドコンピューティングシステム１５６４からコマンドを直接受取らなかった他のスポークスマンノードに通信する。
【００８２】
小電力ノードの一例はスマート夜間灯１５７０である。光源を収容することに加えて、スマート夜間灯１５７０は超音波または受動ＩＲセンサのような占有センサ、および部屋内の光を測定する光導電性セルまたは単一画素センサなどのような周囲光センサを収容する。ある実施の形態では、スマート夜間灯１５７０は、部屋が暗いことをその周囲光センサが検出し、誰かが部屋にいることをその占有センサが検出すると、光源を起動するよう構成される。他の実施の形態では、スマート夜間灯１５７０は、単に、部屋が暗いことをその周囲光センサが検出すると光源を起動するよう構成される。さらに、実施の形態によれば、スマート夜間灯１５７０は、占有センサが部屋における人の存在を検知するのと同時の即時のメッセージを含む、部屋の占有および部屋における光の量に関するメッセージを定期的に送り出す小電力無線通信チップ（たとえばZigbeeチップ）を含む。上記したように、これらのメッセージは、メッシュネットワークを用いて、スマートホーム環境１５００内においてノードからノードへ（つまりスマート装置からスマート装置に）、およびインターネット１５９９を介してクラウドコンピューティングシステム１５６４に、無線で送信されてもよい。
【００８３】
小電力ノードの他の例は、バッテリによって動作されるハザード検出器１５０４を含む。これらのハザード検出器１５０４は、一定であり信頼性のある（たとえば構造物の）電力に対するアクセスを伴わない領域に位置することが多く、以下に詳細に論じられるように、煙／炎／熱センサ、一酸化炭素／二酸化炭素センサ、占有／モーションセンサ、周囲光センサ、温度センサ、湿度センサなどのような任意の数およびタイプのセンサを含んでもよい。さらに、ハザード検出器１５０４は、それぞれのセンサの各々に対応するメッセージを、他の装置およびクラウドコンピューティングシステム１５６４に対して、上記のメッシュネットワークを用いることなどによって送信することができる。
【００８４】
スポークスマンノードの例は、スマートドアベル１５０６、スマートサーモスタット１５０２、スマート壁スイッチ１５０８、およびスマート壁プラグ１５１０を含む。これらの装置１５０２、１５０６、１５０８および１５１０は、信頼性のある電源の近くに位置し、それに接続されることが多く、したがって、任意のさまざまなプロトコルで双方向通信が可能である１つ以上の通信チップなどのような、より電力を消費するコンポーネントを含み得る。
【００８５】
ある実施の形態では、小電力ノードおよびスポークスマンノードのメッシュネットワークを用いて、非常事態のイベントにおける出口照明を提供することができる。ある例では、これを容易にするために、ユーザは、スマートホーム環境１５００における出口ルートを示す前構成情報を提供する。たとえば、家屋における各部屋について、ユーザは最善の出口ルートの地図を提供する。ユーザがこの情報を提供する代わりに、クラウドコンピューティングシステム１５６４または何らかの他の装置が、スマートホーム家屋のアップロードされた地図、図、建築図面、およびメッシュネットワークのノードから得られる位置情報に基づいて生成された地図（たとえば装置からの位置情報を用いて家屋の地図を構築する）を用いて、ルートを自動的に判断することも考えられることが理解されるべきである。動作において、警報が活性化されると（たとえばハザード検出器１５０４の１つ以上
が煙を検出し警報を活性化させると）、クラウドコンピューティングシステム１５６４または何らかの他の装置は、小電力ノードおよびスポークスマンノードから得られる占有情報を用いて、どの部屋が占有されているかを判断し、次いで、非常事態出口照明を与えるように、占有される部屋から出口ルートに沿って照明（たとえばスマート夜間灯１５７０、ランプに電力を供給する壁スイッチ１５０８、スマート壁プラグ１５１０など）をオンにする。
【００８６】
図１５の例示的なスマートホーム環境１５００にさらに含まれ示されるのは、さまざまな家事のうちの任意のものを自律的な態様で実行するよう各々が構成されるサービスロボット１５６２である。一部の実施の形態に対しては、サービスロボット１５６２は、マサチューセッツ州ベッドフォードのiRobot, Incによって販売されるRoombaTMおよびScoobaTM製品などのような公知の市場で入手可能な装置のそれと同様の態様で、それぞれ床掃除
、床洗浄を実行するよう構成され得る。床掃除および床洗浄などのような家事は、本明細書の目的に対しては「留守」または「留守中」タスクとして考えられ得、なぜならばこれらのタスクは占有者がいないときに実行されるのが一般的にはより望ましいからである。他の実施の形態については、サービスロボット１５６２の１つ以上は、占有者のために音楽を再生する、占有者のために局所化されたサーモスタットとして働く、占有者のために局所化された空気モニタ／清浄機として働く、局所化された新生児モニタとして働く、占有者のために局所化されたハザード検出器として働くなどのようなタスクを実行するよう構成され、なぜならば、そのようなタスクは人間の占有者が傍に存在する状態で実行されるのが一般的にはより望ましいからである。本明細書の目的のため、そのようなタスクは「対人」または「人中心」タスクとして考えられ得る。
【００８７】
占有者のために局所化された空気モニタ／清浄機として働くとき、特定のサービスロボット１５６２は、占有者のために「個人的健康エリアネットワーク」と呼ばれ得るものを容易にするよう考えられ得、その目的は占有者のすぐ近くの空間における空気の質を健康なレベルに保つことである。それと代替的に、またはそれと関連して、（たとえば微かに離れたセンサ、人と接触しているモニタとの近接場通信などを用いて）占有者の体温または心拍数を監視するなどのような、他の健康関連の機能を提供することができる。占有者に対して局所化されたハザード検出器として働くとき、特定のサービスロボット１５６２は、占有者に対して「個人的安全エリアネットワーク」と呼ばれ得るものを容易にするよう考えられ得、その目的は、占有者のすぐ近くの空間において過剰な一酸化炭素、煙、炎などがないことを確実にすることである。占有者識別およびトラッキングに関して個人的快適エリアネットワークについて上記されたものと同様の方法が、同様に、個人的健康エリアネットワークおよび個人的安全エリアネットワーク実施の形態に対しても適用可能である。
【００８８】
ある実施の形態によれば、上に参照された、サービスロボット１５６２の個人的快適エリアネットワーク、個人的健康エリアネットワーク、個人的安全エリアネットワークおよび／または他のそのような対人機能の容易化は、それらの対人機能のよりよい実行を達成するための、および／またはそれらの目的をエネルギ節約態様もしくは他の資源節約態様で達成するための、規則に基づく推測技術または人工知能技術に従って、住宅における他のスマートセンサとの論理的統合によってさらに向上される。したがって、個人的健康エリアネットワークに関する１つの実施の形態に対しては、空気モニタ／清浄機サービスロボット１５６２は、家庭のペットが占有者の現在落ち着いている位置に向かって移動しつつあるかどうかを（たとえばオンボードセンサおよび／または他のスマートホームセンサとのデータ通信を規則に基づく推測／人工知能技術とともに用いて）検出するよう構成され得、ペットが近づいてくる場合には、より多くの空中のペットの鱗屑の到着に備えて空気清浄率を即座に増大させる。個人的安全エリアネットワークに関する他の実施の形態については、ハザード検出器サービスロボット１５６２は、他のスマートホームセンサによ
って、占有者の現在のダイニングルーム位置に近い台所において温度レベルおよび湿度レベルが上昇している旨を忠告されることができ、この忠告に応答して、ハザード検出器サービスロボット１５６２は、周囲煙レベルにおけるどのような小さな増大も、最も考えられるのは調理活動のためであり、真に危険な状況によるものではないという推測の下、煙検出しきい値などのような危険検出しきい値を一時的に上昇させることになる。
【００８９】
一実施の形態によれば、ユーザは、共通の製造業者もしくはグループによって提供されるか、もしくはその製造業者またはグループの共通の「エコシステム」と働くよう記章を付されるなどしてもよい、関連のスマートホーム装置の一式を与えられ得、装置の各々は、実用可能である場合には、同じであるかまたは同様にトリガされる発光に基づく通知スキームまたはテーマを与え、ユーザは、各装置に対する異なるスキームを学習する必要なく、さまざまな異なる装置によって発されるステータス信号と容易に馴染むことができる。したがって、例として、セキュリティ自動化ハブ、複数ドア窓センサ、および複数のハザード検出器を含む装置の一式が提供され得、各そのような装置は、トリガされる視覚的情報を、ここに記載されるテーマおよびスキームに従って伝える円形の発光リングを有する。
【００９０】
図１６は、図１５のスマートホーム環境１５００のような複数のスマートホーム環境が統合され得る、拡張可能な装置およびサービスプラットフォーム１６００Ａのネットワークレベル図を示す。拡張可能な装置およびサービスプラットフォーム１６００Ａはクラウドコンピューティングシステム１５６４を含む。図１５からの、インテリジェントな、ネットワーク接続された装置１５０２、１５０４、１５０６、１５０８、１５１０、１５１２、１５１４および１５１６の各々はクラウドコンピューティングシステム１５６４と通信してもよい。たとえば、インターネット１５９９への接続は、直接（たとえば無線搬送への３Ｇ／４Ｇ接続性を用いて）ハブ付きネットワーク１６１２（単純な無線ルータから、たとえばインテリジェントな専用の全住宅制御ノードまで、およびそれを含む範囲のスキームであり得る）を介してか、またはそれらの任意の組合せを介して確立され得る。
【００９１】
ここに与えられるいくつかの例においては、装置およびサービスプラットフォーム１６００Ａは図１５のスマートホーム環境１５００のスマート装置と通信し、それらスマート装置からデータを収集するが、装置およびサービスプラットフォーム１６００Ａは世界中の複数のスマートホーム環境と通信しそれらの環境からデータを収集することが理解されるべきである。たとえば、クラウドコンピューティングシステム１５６４は１つ以上のスマートホーム環境の装置からホームデータ１６０２を収集することができ、装置はホームデータをルーチンで送信することができ、または特定の場合において（たとえば装置がホームデータ１６０２を照会するとき）ホームデータを送信することができる。したがって、装置およびサービスプラットフォーム１６００Ａは世界中の住宅からデータをルーチンで収集する。記載されるように、収集されるホームデータ１６０２は、たとえば、電力消費データ、占有データ、ＨＶＡＣ設定および使用データ、一酸化炭素レベルデータ、二酸化炭素レベルデータ、揮発性有機化合物レベルデータ、睡眠スケジュールデータ、調理スケジュールデータ、内部および外部温度湿度データ、テレビ視聴者数データ、内部および外部ノイズレベルデータなどを含む。
【００９２】
クラウドコンピューティングシステム１５６４は、さらに、１つ以上のサービス１６０４を提供し得る。サービス１６０４はたとえば、ソフトウェア更新、カスタマーサポート、センサデータ収集／ロギング、遠隔アクセス、遠隔もしくは分散制御、または（たとえば、性能を向上させユーティリティコストなどを低減するために、収集されたホームデータ１６０２に基づいた）使用の提案を含み得る。サービス１６０４に関連付けられるデータは、クラウドコンピューティングシステム１５６４に記憶され得、クラウドコンピューティングシステム１５６４は、適切なとき（たとえば規則的な間隔で、ユーザから要求を
受けたとき、など）にデータを検索および送信し得る。
【００９３】
サービス１６０４の一部として、ユーザアカウントがクラウドコンピューティングシステム１５６４によって維持されてもよい。ユーザアカウントは、ユーザアカウントとリンクされる構造物内に設置される、１つ以上のハザード検出器などのような、さまざまなスマートホーム装置と関連付けられる、加入情報、請求情報、登録情報、ユーザ選好、および／または他のデータを保存してもよい。時として、ユーザの自身のユーザアカウントに対する注意が要求される場合がある。ハザード検出器１６５０（または他のスマートホーム装置）からのクエリーに応答して、ハザード検出器１６５０によって出力されるステータスは、ユーザが自身のユーザアカウントにログインすることを要求されている旨を示すべきであることを示すメッセージが、クラウドコンピューティングシステム１５６４によって、（先に記載されたハザード検出器のうちの任意のものを表わしてもよい）ハザード検出器１６５０に送信されてもよい。要求されたログに関するさらなる詳細がサービス１６０４によってハザード検出器１６５０に送信されてもよい。たとえば、要求されるログインの理由は、（期限切れのクレジットカードなどのような、）期限切れの支払情報であってもよい。ユーザは、ハザード検出器１６５０の発光体を介して出力される色およびアニメーションとしてユーザに対して呈示されてもよい、ハザード検出器１６５０によって出力されるステータスについての詳細を要求することができる。詳細に対する要求は、ハザード検出器１６５０の付近内において身振り手振りを実行することによってでもよい。次いで、話し言葉メッセージがハザード検出器１６５０によって出力されて、ユーザが自分のアカウントにログインすることを要求されている旨を示してもよく、さらに、支払情報が更新を必要としている理由を示してもよい。したがって、ハザード検出器１６５０によって実行されるステータスチェックは、ハザード検出器１６５０それ自体のステータスをチェックするのみならず、遠隔で維持されるユーザアカウントの状態もチェックしてもよい。
【００９４】
図１６に示されるように、拡張可能な装置およびサービスプラットフォーム１６００Ａの実施の形態は、処理エンジン１６０６を含み、それは、単一のサーバに集中されるかまたはいくつかの異なるコンピューティングエンティティの間に分散され得るが、これに限定はされない。処理エンジン１６０６は、データをインデックス付けし、データを解析し、および／または解析に基づきもしくは解析の一部として統計を生成するために、（たとえばインターネット（登録商標）１５９９またはハブ付ネットワークを介して）スマートホーム環境の装置からデータを受信するように構成されるコンピューター化されたエンジン（たとえばハードウェアによって実行されるソフトウェア）を含み得る。解析されたデータは、導き出されたホームデータ１６０８として記憶され得る。
【００９５】
解析または統計の結果はその後、結果を導き出すのに用いられるホームデータを提供した装置、他の装置、装置のユーザにウェブページを提供するサーバ、または他の非装置エンティティに送信し戻され得る。たとえば、使用統計、他の装置の使用に対する使用統計、使用パターン、および／またはセンサ読み取りを要約する統計が処理エンジン１６０６によって生成され送信され得る。結果または統計はインターネット１５９９を介して提供され得る。この態様で、処理エンジン１６０６は、ホームデータ１６０２からさまざまな有用な情報を導き出すために構成およびプログラミングされ得る。単一のサーバは、１つ以上のエンジンを含み得る。
【００９６】
ある実施の形態では、技術革新およびリサーチを促進し、ユーザに利用可能な製品およびサービスを増大させるために、装置およびサービスプラットフォーム１６００Ａは、ある範囲のアプリケーションプログラミングインターフェイス（ＡＰＩ）１６１０を、慈善事業体、行政実体（たとえば食品医薬品局または環境保護局）、学術機関（たとえば大学研究者）、（たとえば装置保証またはサービスを関連機器に対して提供したり、ホームデ
ータに基いた広告をターゲットとする）事業体、ユーティリティ供給会社および他の第三者などのような第三者に公開する。ＡＰＩ１６１０は、第三者システムに結合され、第三者システムが、サービス１６０４、処理エンジン１６０６、ホームデータ１６０２、および導出されたホームデータ１６０８を含んで、クラウドコンピューティングシステム１５６４と通信することを許してもよい。たとえば、ＡＰＩ１６１０は、第三者によって実行されるアプリケーションが、クラウドコンピューティングシステム１５６４によって実行される特定のデータ処理タスクを開始すること、ならびにホームデータ１６０２および導出されたホームデータ１６０８に対する動的な更新を受取ることを可能にする。
【００９７】
アカウント警戒エンジンは、ユーザのアカウントが注意を要する旨を示す指示をハザード検出器が与えるべきであるかどうかを判断するよう働いてもよい。たとえば、アカウント警戒エンジン１６０５は、設定が更新を必要としているかどうか、支払情報が最新であるかどうか、１つ以上のメッセージが未処理であるかどうか、支払の期日が来ているかどうかなどのようなユーザのアカウントの状態を定期的に評価してもよい。ユーザの注意が必要とされる場合には、要求がハザード検出器から受取られ、ユーザのアカウントの参照が実行されると、アカウント警戒エンジンは、ユーザアカウントが注意を必要とする旨の指示で応答してもよい。さらなる詳細も与えられてもよく、ユーザが身振り手振りを実行するかまたはそうでなければさらなる詳細を要求する場合には、そのような詳細が、聴覚的なメッセージを介してなどのように、与えられ得る。ユーザの注意が必要とされない場合には、要求がハザード検出器から受取られ、ユーザのアカウントの参照が（たとえば要求が受取られたハザード検出器と関連付けられるアカウントを判断することによって）実行されると、アカウント警戒エンジンは、ユーザアカウントは注意を要求しない旨の指示で応答してもよい。
【００９８】
図１６Ｂは、図１６Ａの拡張可能な装置およびサービスプラットフォーム１６００Ａの抽象化された機能図１６００Ｂを、特に、処理エンジン１６０６、および図１５のスマートホーム環境１５００のもののような装置を参照して示す。スマートホーム環境に位置する装置は、無限のさまざまな異なる個々の能力および限界を有するが、それらの各々がデータ消費体１６６５（ＤＣ）、データソース１６６６（ＤＳ）、サービス消費体１６６７（ＳＣ）およびサービスソース１６６８（ＳＳ）であるという点で、それらは、すべて、共通の特性を共有するとして考えられ得る。有利なことに、装置のローカルおよび直接の目的を達成するために装置に必要とされる本質的な制御情報を提供することに加えて、拡張可能な装置およびサービスプラットフォーム１６００Ａは、さらに、これらの装置から流れ出る大量のデータを利用するように構成され得る。装置の直接的な機能に関して装置自体の実際の動作を向上または最適化することに加えて、拡張可能な装置およびサービスプラットフォーム１６００Ａは、さまざまな有用な目的を達成するために、さまざまな自動化され、拡張可能であり、フレキシブルで、および／またはスケーラブルな態様でそのデータを「別の目的のために再利用する（repurposing）」ことに向けられ得る。これら
の目的は、たとえば使用パターン、装置効率および／またはユーザ入力（たとえば特定の機能を要求する）に基づき、予め規定または適合的に識別されてもよい。
【００９９】
たとえば図１６Ｂは、ある数のパラダイム１６７１を含む処理エンジン１６０６を示す。処理エンジン１６０６は、一次的または二次的な装置機能を監視および管理する、管理されたサービスパラダイム１６７１ａを含み得る。装置機能は、ユーザ入力を与えられる装置の適正な動作を保証すること、侵入者が住居にいるかもしくは住居に入ることを試みていることを推定する（たとえば、およびその場合に応答する）こと、装置に結合される機器の不良（たとえば切れた電球）を検出すること、エネルギー需要応答イベントを実現もしくはそうでなければそれに応答すること、または現在もしくは予測された将来のイベントもしくは特性に対してユーザを警戒させることを含み得る。処理エンジン１６０６はさらに、装置の使用に基づいて、ユーザの特性（たとえば人口学的情報）、要望および／
または興味のある製品を推定する広告／通信パラダイム１６７１ｂを含み得る。サービス、プロモーション、製品またはアップグレードが、次いで、ユーザにオファーまたは自動的に提供され得る。処理エンジン１６０６はさらにソーシャルパラダイム１６７１ｃを含み得、ソーシャルパラダイム１６７１ｃは、ソーシャルネットワークからの情報を使用し、（たとえば装置の使用に基づいて）ソーシャルネットワークに情報を提供し、ならびに／またはソーシャルネットワークプラットフォームとのユーザおよび／もしくは装置対話に関連付けられるデータを処理する。たとえば、ソーシャルネットワーク上でのユーザに委託された連絡先に報告されるようなユーザのステータスは、光検出、セキュリティシステムの不活性化、または装置使用検出器に基づき、彼らがいつ家にいるかを示すよう更新され得る。別の例として、ユーザは、他のユーザと装置使用の統計を共有することが可能であってもよい。さらに別の例では、あるユーザは、低い電力請求を結果として生じるＨＶＡＣ設定を共有してもよく、他のユーザは、自分のスマートサーモスタット１５０２にＨＶＡＣ設定をダウンロードして、彼らの電力請求を低減してもよい。
【０１００】
処理エンジン１６０６は、挑戦／ルール／コンプライアンス／報酬パラダイム１６７１ｄを含み得、それは、挑戦、競合、ルール、コンプライアンス規則、および／もしくは報酬をユーザに通知し、ならびに／または動作データを使用して、挑戦に応じられたか、ルールもしくは規則は遵守されたか、および／もしくは報酬が得られたかどうかを判断する。挑戦、ルールまたは規則は、エネルギを節約する努力、安全に生活する（たとえば毒物または発がん性物質に晒されることを低減する）努力、金銭の節約および／または機器寿命を保護する努力、健康を改善する努力などに関し得る。たとえば、１つの挑戦は、参加者が自分のサーモスタットを１週間の間１℃だけ下げることを伴ってもよい。挑戦を成功裏に完了させたものは、クーポン、仮想通貨、ステータスなどによってのように報酬を与えられる。コンプライアンスに関しては、１つの例はレンタル不動産所有者が、賃借人はある所有者の部屋にアクセスすることは許可されない旨の規則を作ることを伴う。占有センサを有する部屋における装置は、部屋がアクセスされたときに所有者に更新を送信し得る。
【０１０１】
処理エンジン１６０６は、１つ以上の処理パラダイムの機能を向上させるために、外部源からの外部情報１６７３を統合または別の態様で利用し得る。外部情報１６７３は、装置から受信されるデータを解釈し、装置の近くの環境（たとえば装置が囲まれる構造物の外部）の特性を判断し、ユーザに利用可能なサービスまたは製品を判断し、ソーシャルネットワークまたはソーシャルネットワーク情報を識別し、装置の近くのエンティティ（たとえば非常事態応答チーム、警察または病院のような公共サービス実体）のコンタクト情報などを判断し、家または近隣に関連付けられる統計的もしくは環境的条件、傾向または他の情報を識別するためなどに使用され得る。
【０１０２】
驚くほどの範囲のさまざまな利点が、通常のものから重要なものまで、記載される拡張可能な装置およびサービスプラットフォーム１６００Ａによって引き起こされ得るとともに当該拡張可能な装置およびサービスプラットフォーム１６００Ａの範囲内に適合され得る。したがって、１つの「通常の」例では、スマートホーム１５００の各寝室には、すべてまたは一部が占有センサを含むスマート壁部スイッチ１５０８、スマート壁部プラグ１５１０、および／またはスマートハザード検出器１５０４が設けられており、占有センサはさらに、（たとえばモーション検出、顔認識、可聴音パターンなどによって）居住者が眠っているかまたは起きているかどうかを推測することができる。重大な火事イベントが検知されると、遠隔セキュリティ／監視サービスまたは消防署は、各寝室に何人の居住者がいるか、それらの居住者がまだ眠っている（もしくは動かない）かどうか、または、彼らが適切に寝室から避難したどうか通知される。もちろんこれは、記載された拡張可能な装置およびサービスプラットフォームにより対応される非常に有利な能力であるが、利用可能になり得るさらに大きな「インテリジェンス」のポテンシャルを真に示し得る実質的
により「重要な」例が存在し得る。恐らくより「重要な」例として、火事安全性に使用されている同じデータ寝室占有データが、さらに、近隣の子供の発育および教育の社会的規範の文脈において、処理エンジン１６０６によって「別の目的で再利用」され得る。したがって、たとえば、「通常の」例で論じられた同じ寝室占有および動作データが、収集され得るとともに、特定の郵便番号における生徒の睡眠パターンが識別およびトラッキングされ得る処理に利用可能になる（適切に匿名化される）ようにされ得る。これらの生徒の睡眠パターンにおける局所化された変動は、識別され、たとえば、地元の学校における異なる栄養プログラムに対して識別され相関されてもよい。
【０１０３】
さまざまな方法が、図１〜図１６に関係して詳述されるシステム、装置、および他の実施例を用いて実行されてもよい。たとえば、方法は、図１〜図６に関連して詳述されるハザード検出器によって実行されてもよい。図１７は、ハザード検出器のステータスを出力するための方法１７００の実施の形態を示す。方法１７００は、図１〜図６に関係して詳述されるハザード検出器および／または他の装置などのような、ハザード検出器によっても実行されてもよいさまざまなブロックを表わす。
【０１０４】
ブロック１７１０で、ハザード検出器の周囲環境における照明状態が解析されてもよい。そのような解析は、ハザード検出器の周囲環境における明るさレベルの１つ以上の測定値を集めたものを含んでもよい。ハザード検出器は、ハザード検出器の周囲環境における明るさのレベルを検出する１つ以上のオンボード光センサを有してもよい。ハザード検出器の周囲環境における照明状態は人工照明および／または自然照明によって影響を受けてもよい。照明状態の指示は、ハザード検出器の１つ以上の光センサによって、ハザード検出器の、１つ以上のプロセッサを含んでもよい、処理システムに与えられてもよい。ある実施の形態では、ハザード検出器の周囲環境における照明状態は、直接、統合されたプロセッサなどを介してのように、照明センサによって解析されてもよい。ブロック１７１０を実行するための手段は一般的にハザード検出器を含んでもよい。より具体的には、ブロック１７１０を実行するための手段は、プロセッサなどのような１つ以上の処理装置、および１つ以上の光センサを含んでもよい。
【０１０５】
ブロック１７２０で、ブロック１７１０によって解析された照明状態は、ハザード検出器によって記憶されるしきい値明るさレベル値と比較されてもよい。この比較を用いて、照明状態は、しきい値明るさレベルに到達した周囲環境における明るさレベルを示す、と判断してもよい。ある実施の形態では、ブロック１７２０の判断は、ハザード検出器の周囲環境における明るさレベルはしきい値明るさレベルにまで低減したかまたはそれより下に落ちたと判断することを伴ってもよい。したがって、ある実施の形態では、ブロック１７２０は、ハザード検出器の周囲環境における明るさの立下がり縁はしきい値明るさレベルに合致したと判断することとして理解され得る。ブロック１７２０を実行するための手段は一般的にハザード検出器を含んでもよい。より具体的には、ブロック１７２０を実行するための手段は、プロセッサなどのような１つ以上の処理装置と、しきい値明るさレベルを記憶するためなどのような記憶媒体とを含んでもよい。
【０１０６】
ブロック１７３０で、ハザード検出器の１つ以上のコンポーネントのステータスチェックが実行されてもよい。ある実施の形態では、ブロック１７３０の一部として実行されるステータスチェックはブロック１７２０を通して実行されてもよく、つまり、ステータスチェックは、ハザード検出器の周囲環境における明るさレベルがしきい値明るさレベルにまで低下したことを照明状態が示すと判断することに応答して実行され得る。他の実施の形態では、ステータスチェックはブロック１７２０とは独立して実行され、つまり、ステータスチェックは、ハザード検出器の周囲環境における照明状態がしきい値明るさレベルに到達したと判断されることに依存しない。ブロック１７３０において実行されるステータスチェックは、ハザード検出器の１つ以上のコンポーネントのステータスをチェックす
ることを伴ってもよい。たとえば、ステータスチェックはハザード検出器のバッテリ充電レベルをチェックしてもよい。バッテリ充電レベルは複数のしきい値電圧レベルと比較されてもよい。そのような複数のレベルを用いて、バッテリが十分な充電レベルを有するか、バッテリ充電レベルが低い（が、まだ交換を必要とはしない）か、またはバッテリが交換を即座に必要とするかどうかを評価してもよい。ステータスチェックは、煙センサおよび／または一酸化炭素センサなどのようなハザード検出器の１つ以上のセンサの機能をチェックしてもよい。ある実施の形態では、ステータスチェックは、ハザード検出器の１つ以上のセンサおよび／またはハザード検出器それ自体の耐用年数をチェックすることを伴う。たとえば、煙検出器および／または一酸化炭素検出器は、法律によって、７年などのような予め規定された時間量の後、耐用年数が切れることを必要とされてもよい。ブロック１７３０のステータスチェックは、構造物電源が設置され接続される場合、それが電力を与えているかどうかを判断することを伴ってもよい。ブロック１７３０のステータスチェックは、ハザード検出器から遠隔で維持されるユーザアカウントのステータスをチェックすることを伴ってもよい。これは、図１５、図１６Ａおよび図１６Ｂと関連して詳述されたように、リモートサーバに要求を送信して、ユーザアカウントのステータスを判断することを伴ってもよい。ユーザアカウントが注意を要する場合には、ハザード検出器は、送信された要求に応答して、おそらくはステータスの性質についての１つ以上の詳細とともに、その旨を示すメッセージを受信してもよい。ブロック１７３０で実行されるステータスチェックは、ハザード検出器のテストが予め規定された時間量のうちで実行されたかどうかをチェックしてもよい。たとえば、ユーザが最後にハザード検出器のテスト（可聴警報が鳴ることをテストする）を実行してから１週間、１ヶ月などのようなある量の時間があった場合には、ユーザに警告を与えることが望ましいであろう。テストがステータスチェックと異なるのは、テストはハザード検出器の１つ以上の警報器を可聴的に鳴らしてもよく、および／またはハザード検出器上に存在する１つ以上のセンサの機能をテストしてもよいという点であってもよい。ブロック１７３０を実行するための手段は一般にハザード検出器を含んでもよい。より具体的には、ブロック１７２０を実行するための手段は、プロセッサなどのような１つ以上の処理装置と、ハザード検出器２００に関して詳述されるさまざまなコンポーネントの１つ以上の例のような、テストされるべき１つ以上のコンポーネントとを含んでもよい。ブロック１７３０を実行するための手段は、さらに、リモートサーバ、およびそのリモートサーバと通信する１つ以上のネットワークを含んでもよい。
【０１０７】
ブロック１７４０で、ステータスチェックに基づく発光状態が選択されてもよい。発光状態は、ハザード検出器の発光体を発光させるよう、１つ以上の色、アニメーションおよび／または速度を含んでもよい。先に詳述したように、発光体はＬＥＤなどのような１つ以上の発光素子を含んでもよい。そのような構成は、アニメーションおよび複数の色が発光体によって同時に呈示されることを可能にしてもよい。ステータスチェックの結果と関連付けられる発光状態の定義の参照テーブルまたは他の記憶構成がハザード検出器によって記憶されてもよい。たとえば、図１２および図１３に対応する参照テーブルを用いて、ステータスチェックに応答してハザード検出器によって呈示されるべき適切な発光状態を判断してもよい。同様に、そのような参照テーブルにおいて呈示される情報を、ユーザマニュアルまたはクイックリファレンスガイドのような形式においてのようにユーザに対して与えることにより、ユーザがさまざまな発光状態を解釈できるようにしてもよい。ブロック１７３０において実行されるステータスチェックの結果を用いて、ブロック１７４０において選択されるべき適当な発光状態を判断してもよい。ブロック１７４０を実行するための手段は一般にハザード検出器を含んでもよい。より具体的には、ブロック１７４０を実行するための手段は、プロセッサなどのような１つ以上の処理装置と、さまざまな発光状態の定義を記憶するような記憶媒体とを含んでもよい。
【０１０８】
ブロック１７５０で、ハザード検出器の発光体を、ブロック１７４０で選択された発光
状態に基づいて発光してもよい。ある実施の形態では、ブロック１７５０の実行はブロック１７２０次第であってもよい。つまり、ブロック１７３０において実行されるステータスチェックは、ハザード検出器の周囲環境における照明状態がしきい値明るさレベルに達したと判断することを条件としなくてもよいが、ステータスチェックの結果を示す発光状態を用いる発光体の発光は、ハザード検出器の周囲環境における照明状態がしきい値明るさレベルに達することに基づいてもよい。言い換えれば、ハザード検出器の周囲環境における明るさレベルを用いて、ステータスチェックの結果をいつ呈示するかを判断してもよいが、ステータスチェックをいつ実行するかは判断しなくてもよい。ブロック１７３０のステータスチェックがブロック１７２０に応答して行なわれる実施の形態のような、他の実施の形態では、ブロック１７５０の発光はブロック１７３０および１７４０が実行されることに応答して生じてもよい。
【０１０９】
ブロック１７５０の発光は予め規定される時間期間の間生じてもよい。たとえば、発光体は、１秒から５秒の範囲の時間期間、または何らかの他の時間期間の間発光されてもよい。ある実施の形態では、発光体は１秒間の間徐々にオンになり、１秒間の間発光状態を呈示し、１秒間の間徐々にオフになる。ハザード検出器の周囲環境における照明状態がしきい値明るさレベルにまで減ずるのを待つことによって、ユーザはブロック１７５０における発光状態を、より見そうであり得、なぜならば、ハザード検出器の周囲環境は（周囲環境の先の照明状態と比較して）暗くされるからであることが理解されるべきである。一例として、ユーザがブロック１７５０において発光される発光体を見るかもしれないような、ありそうな状況とは、ハザード検出器がある部屋において人工光源を遮断するときである。自然光が日中によって部屋に入る場合、発光体は夜においてより発光しそうであろう。したがって、ユーザは典型的には、ステータステストを示す発光を、夜、人工光が遮断されたときに見るであろう。ブロック１７５０を実行するための手段は一般的にはハザード検出器を含む。より具体的には、ブロック１７５０を実行するための手段は、プロセッサのような１つ以上の処理装置と、１つ以上の発光素子を各々が含んでもよい１つ以上の発光体とを含んでもよい。
【０１１０】
図１８は、ハザード検出器のステータスを出力するための方法１８００の実施の形態を示す。方法１８００は方法１７００の代替的な、またはより詳細な実施の形態を表わしてもよい。方法１８００は図１〜図６に関連して詳述されるハザード検出器および／または他の装置のような、ハザード検出器によって実行されてもよいさまざまなブロックを表わす。
【０１１１】
ブロック１８１０および１８２０はそれぞれ、方法１７００のブロック１７１０および１７２０と同様に実行されてもよい。そのようなブロックを実行するための手段は一般的にハザード検出器を含んでもよい。より具体的には、そのようなブロックを実行するための手段は、プロセッサなどのような１つ以上の処理装置、１つ以上の光センサ、および１つ以上の記憶媒体を含んでもよい。
【０１１２】
ブロック１８３０において、少なくともあるしきい値時間期間が、先のステータスチェックから経過しているかどうか、ステータスを示すハザード検出器の発光体の先の発光から経過しているか、および／またはハザード検出器の周囲環境における明るさレベルがしきい値明るさレベルよりも下に落ちたことを照明状態が示すという先の判断から経過したかどうかについて、判断がなされてもよい。ブロック１８３０を用いて、ステータスチェックまたはステータスチェックの結果を示す発光状態の出力が過度に頻繁に生じないことを保証してもよい。たとえば、しきい値時間期間は１ヶ月、１週間、１日、１０時間、５時間、１時間、１０分、１分、または列挙された時間期間の間の何らかの他の時間期間であることが望まれてもよい。ある考えられ得る状況においては、ステータスチェックの実行および／またはステータスチェックの結果の呈示が１日に１回であることが望ましくて
もよい。そのような制約は、バッテリ充電を保つこと、および／またはユーザが過度に頻繁に呈示されるステータスによって悩まされることを防ぐことを助け得る。ブロック１８３０を実行するための手段は一般的にハザード検出器を含んでもよい。より具体的には、ブロック１８３０を実行するためのステップは、プロセッサのような１つ以上の処理装置と、１つ以上の記憶媒体とを含んでもよい。
【０１１３】
ブロック１８４０において、ステータスチェックを実行してもよい。ブロック１８４０のステータスチェックは方法１７００のブロック１７３０と同様に実行されてもよい。ステータスチェックの実行が、周囲環境における明るさレベルがしきい値明るさレベルにまで落ちることを照明状態が示すことに左右される場合には、ステータスチェックの実行は、加えて、ブロック１８３０において、先のステータスチェックから少なくともしきい値時間期間が経過したことが判断されることに左右されてもよい。ブロック１８４０を実行するための手段は一般的にハザード検出器を含んでもよい。より具体的には、ブロック１８４０を実行するための手段は、プロセッサのような１つ以上の処理装置と、図２のハザード検出器２００に関連して詳述されたさまざまなコンポーネントのうちの１つ以上の例のような、テストされるべき１つ以上のコンポーネントとを含んでもよい。
【０１１４】
ブロック１８５０において、ハザード検出器はメッセージをリモートサーバに送信して、ユーザによって保持されるアカウントのステータスをチェックしてもよく、ハザード検出器は以前にユーザアカウントに追加され、それとリンクされている。たとえば、ユーザアカウントを用いて、特定の住宅または他の形式の構造物内に設置される、ハザード検出器を含む複数のスマートホーム装置を管理してもよい。メッセージはリモートサーバに対して大まかに周期的に（たとえば１日に１回、１週間に１回など）送信されてもよく、またはブロック１８４０が実行されること、ブロック１８３０が実行されること、および／またはブロック１８２０が実行されることなどのような、ある条件が生じることに応答して生じてもよい。メッセージに応答して、（図１５のクラウドコンピューティングシステム１５６４の一部であってもよい）リモートサーバは、ハザード検出器と関連付けられるユーザアカウントのステータスをチェックしてもよい。ユーザアカウントのステータスをチェックすることは、ユーザによる最後のログインが予め規定された時間期間内にあったかどうかをチェックすること、ユーザが見るために未処理のメッセージがあるかどうかをチェックすること、ユーザの支払い情報が有効であるかどうかをチェックすること、ユーザによる見直しのために待機しているオファーがあるかどうかをチェックすること、ユーザの注意を要する設定または選好があるかどうかをチェックすること、新たなエンドユーザの同意（または他のドキュメント）がユーザによって見直される必要があるかどうかをチェックすること、および／または任意の他の形式の事項がユーザの注意を要するかどうかをチェックすることを含んでもよい。ある実施の形態では、リモートサーバは、ときどき、ハザード検出器からの要求を受信することなく、ユーザのアカウントステータスをハザード検出器に対してプッシュしてもよい。ブロック１８５０を実行するための手段は一般的にハザード検出器を含んでもよい。より具体的には、ブロック１８５０を実行するための手段は、プロセッサのような１つ以上の処理装置、無線通信モジュール、１つ以上のネットワーク、および／またはリモートサーバを含んでもよい。
【０１１５】
ブロック１８６０において、発光状態を、ブロック１８４０のステータスチェックと、ブロック１８５０において検索されるアカウントステータスとに基づいて選択してもよい。発光状態は、ハザード検出器の発光体を発光させるよう、１つ以上の色、アニメーションおよび／または速度を含んでもよい。先に詳述したように、発光体はＬＥＤなどのような１つ以上の発光素子を含んでもよい。そのような構成は、アニメーションおよび複数の色が発光体によって同時に呈示されることを可能にしてもよい。ステータスチェックの結果と関連付けられる発光状態の定義の参照テーブルまたは他の記憶構成がハザード検出器によって記憶されてもよい。たとえば、図１２および図１３に対応する参照テーブルを用
いて、ステータスチェックに応答してハザード検出器によって呈示されるべき適切な発光状態を判断してもよい。同様に、そのような参照テーブルにおいて呈示される情報を、ユーザマニュアルまたはクイックリファレンスガイドのような形式においてのようにユーザに対して与えることにより、ユーザが発光状態を解釈できるようにしてもよい。ブロック１８４０において実行されるステータスチェックの結果およびブロック１８５０のアカウントステータスを用いて、ブロック１８６０において選択されるべき適当な発光状態を判断してもよい。ブロック１８６０を実行するための手段は一般にハザード検出器を含んでもよい。より具体的には、ブロック１８６０を実行するための手段は、プロセッサなどのような１つ以上の処理装置と、さまざまな発光状態の定義を記憶するような記憶媒体とを含んでもよい。
【０１１６】
ブロック１８７０で、発光体を、ブロック１８６０で選択された発光状態に基づいて発光してもよい。ある実施の形態では、ブロック１８７０の実行はブロック１８２０および１８３０の判断次第であってもよい。つまり、ブロック１８４０において実行されるステータスチェックは、ハザード検出器の周囲環境における照明状態がしきい値明るさレベルに達した（または予め規定される時間期間が経過した）と判断することを条件としなくてもよいが、ステータスチェックの結果を示す発光状態（および／またはアカウントステータス）を用いる発光体の発光は、ハザード検出器の周囲環境における照明状態がしきい値明るさレベルに達したことおよびしきい値時間期間が経過したことに基づいてもよい。言い換えれば、ハザード検出器の周囲環境における明るさレベル、および予め規定される時間期間が経過したことを用いて、ステータスチェック（アカウントステータスチェックを含んでもよい）の結果をいつ呈示するかを判断してもよいが、ステータスチェックをいつ実行するかは判断しなくてもよい。他の実施の形態では、ブロック１８７０は、ブロック１８４０、１８５０および／または１８６０が完了したことに応答して実行されてもよい。ブロック１８６０を実行するための手段は一般的にハザード検出器を含んでもよい。より具体的には、ブロック１８６０を実行するための手段は、プロセッサのような１つ以上の処理装置と、１つ以上の発光素子を各々が含んでもよい１つ以上の発光体とを含んでもよい。
【０１１７】
図１７および図１８の方法１７００および１８００はハザード検出器に焦点を当てているが、そのような方法はハザード検出器以外の装置およびシステムに適用されてもよい。図１９は、無関係の環境的特性に応答して機能を実行するための方法１９００の実施の形態を示す。方法１９００は、ハザード検出器であってもなくてもよいシステムまたは装置によって実行されてもよいさまざまなブロックを表わす。たとえば、装置またはシステムは、温度、湿度、動作などのような状況を検知または監視するよう構成される装置であってもよい。方法１９００の各ブロックはそのような装置によって実行されてもよい。
【０１１８】
ブロック１９１０において、環境は、トリガイベントの存在について監視されてもよい。環境は、方法１９００を実行する装置の付近で監視されてもよい。たとえば、装置は、環境に存在する特性を特定するよう構成される１つ以上のセンサが設置されてもよい。この収集されたデータは、記憶された、予め規定されるトリガイベントについて監視されてもよい。その例は、温度を監視すること、湿度を監視すること、明るさを監視すること、動作を監視することなどを含む。ある実施の形態では、トリガイベントは、リモート装置またはシステムから、無線ネットワーク接続などを介して受信されてもよい。ブロック１９１０を実行するための手段は一般的に図３におけるような装置またはシステムを含んでもよい。より具体的には、ブロック１９１０を実行するための手段は、プロセッサのような１つ以上の処理装置と、１つ以上のタイプのセンサを含んでもよいイベント検出モジュールとを含んでもよい。
【０１１９】
ブロック１９２０で、予め規定されるトリガイベントが環境において生じたと判断され
てもよい。ブロック１９１０において環境を監視することの結果、システムによってその定義が保存される予め規定されるトリガイベントが生じたと判断されることを示すデータが集められてもよい。その例は、監視される温度がしきい値温度に到達したこと、監視される湿度が湿度しきい値に到達したこと、監視される明るさが明るさしきい値に到達したこと、動作が生じたと判断されることなどを含む。ブロック１９２０を実行するための手段は一般的に図３におけるような装置またはシステムを含んでもよい。より具体的には、ブロック１９２０を実行するための手段は、プロセッサのような１つ以上の処理装置と、１つ以上のタイプのセンサを含んでもよいイベント検出モジュールと、予め規定されるトリガイベントの定義を記憶するプロセッサ読取可能媒体とを含んでもよい。
【０１２０】
ブロック１９３０において、機能を実行してもよい。ブロック１９３０において実行される機能は、予め規定されるトリガイベントが生じたと判断されることに応答して実行されてもよい。他の実施の形態では、ブロック１９３０において実行される機能は、予め規定されるスケジュールに従って生じてもよく、またはブロック１９２０のトリガイベント以外の何らかのイベントの発生に左右されてもよい。ブロック１９３０を実行するための手段は一般的に図３におけるような装置またはシステムを含んでもよい。より具体的には、ブロック１９３０を実行するための手段は、プロセッサのような１つ以上の処理装置と、（ある実施の形態においては１つ以上の処理装置であってもよい）機能コンポーネントとを含んでもよい。
【０１２１】
ブロック１９３０の機能はブロック１９２０のトリガイベントと全く無関係であってもよいことが理解されるべきである。たとえば、ブロック１９２０のトリガイベントは、ユーザが機能のステータスを見ることを所望するときに対応しそうなイベントに基づいて選択されてもよい。たとえば、ブロック１９３０の機能は、セルフテスト、方法１９００を実行する装置のステータスチェック、または何らかの他の形式の機能であってもよい。ブロック１９１０において環境が監視されブロック１９２０において生じたと判断される、予め規定されるトリガイベントは、このセルフテストおよび／またはステータスチェックと全く無関係であってもよい。したがって、トリガイベントは、機能がトリガイベントに応答して実行されるか否かに関わらず、ユーザが機能の結果についての情報を所望するであろうときに対するそれのありそうな相関関係に基づいて選択されてもよい。
【０１２２】
ブロック１９４０で、実行された機能に基づいて、指示が出力されてもよい。ブロック１９４０における出力は、ブロック１９２０において判断されるように、予め規定されるトリガイベントが生じたことに左右されてもよい。したがって、実行された機能に基づく出力は、予め規定されるトリガイベントが生じたことに応答して出力されてもよく、それは機能それ自体とは全く無関係であってもよい。これの一例は、方法１７００および１８００のさまざまな実施の形態に見られ得る。ある実施の形態では、ハザード検出器のステータスは、ハザード検出器の環境に存在する照明状態に応答して出力される。そのような照明状態は、ハザード検出器の状態とは全く無関係であってもよい（つまり、明るさはステータスにどのような影響も有さなくてもよい）。ブロック１９３０の機能がブロック１９２０に応答して実行される実施の形態のような他の実施の形態では、ブロック１９４０は、ブロック１９３０が実行されたことに応答して実行されてもよい。ブロック１９４０において出力される指示はブロック１９３０の機能の結果を示してもよい。ブロック１９４０の出力は光および／または音を含んでもよい。たとえば、出力は、光の色、アニメーション、および／または速度の組合せであってもよい。出力される音は、リング音、トーン、または話し言葉メッセージを含んでもよい。振動、印刷されたメッセージ、無線メッセージの伝送などのような、他の形式の出力ももちろん可能である。ブロック１９４０を実行するための手段は一般的に図３にあるような装置またはシステムを含んでもよい。より具体的には、ブロック１９４０を実行するための手段は、プロセッサのような１つ以上の処理装置と、出力モジュール（ある実施の形態においては、スピーカおよび／または発
光体を含んでもよく、それは、１つ以上の発光素子、振動装置、プリンタなどを含むことができる）とを含んでもよい。
【０１２３】
方法１７００〜１９００のいずれかが実行された後、ユーザ入力を監視して、ユーザが、ハザード検出器または他の形式のシステムもしくは装置によって出力されるステータスについてのさらなる情報（または他の情報）を所望するかどうかを判断してもよい。図２０は、ユーザ入力に応答してステータスについて詳細を提供するための方法２０００の実施の形態を示す。方法２０００は、ハザード検出器の状態またはステータスを出力するために方法１７００〜１９００または何らかの他の方法のうちの１つを実行した後に、ハザード検出器によって実行されてもよい。
【０１２４】
ブロック２０１０は方法１７００〜１９００の結果を表わしてもよい。たとえば、ブロック２０１０は、方法１７００のブロック１７５０、方法１８００のブロック１８７０、および／または方法１９００のブロック１９４０を表わしてもよい。ブロック２０１０は、さらに、ステータスが出力されることの、何らかの他の指示を表わしてもよい。たとえば、ある実施の形態においてブロック２０１０は、方法１７００〜１９００の少なくとも１つが実行されることなく実行されてもよい。
【０１２５】
ブロック２０２０において、ハザード検出器または他の装置は、ブロック２０１０でステータスが出力されることの指示の後、ユーザ入力を監視してもよい。ある実施の形態では、ブロック２０２０は、何らかの他の状態が生ずることによってトリガされてもよい。たとえば、照明状態が、ハザード検出器の周囲環境において、しきい値明るさレベルと一致するかまたはそれより低い明るさレベルに到達したことが、ブロック２０２０に対するトリガとして働いてもよく、またはブロック２０１０がブロック２０２０をトリガしてもよい。ユーザ入力を監視することは、ユーザ入力を監視するよう構成される１つ以上のセンサを起動することを含んでもよい。たとえば、モーションセンサまたは同様のコンポーネントをブロック２０２０のために起動して、身振り手振りがユーザによって実行されることを監視してもよい。そのような身振り手振りは、ユーザによる１回の手ぶりまたは複数回の手ぶりであってもよい。そのようなセンサは、電力を節約するために、予め規定される時間期間の間まで身振り手振りを監視するよう可能化されるのみであってもよく、それは、バッテリにより電力を供給される装置においては特に有用であろう。ユーザ入力が検出される場合には、センサは不能化されてもよく、なぜならば、即座の今後のユーザ入力は監視される必要はないからである。ブロック２０２０を実行するための手段は一般的にハザード検出器（または他の形式の装置）を含んでもよい。より具体的には、ブロック２０２０を実行するための手段は、プロセッサのような１つ以上の処理装置と、モーションセンサのような１つ以上のセンサとを含んでもよい。
【０１２６】
ユーザ入力がブロック２０２０において受信されない場合には、方法２０００はブロック２０４０に進んでもよい。ユーザ入力がブロック２０２０において受信される場合には、方法２０００はブロック２０３０に進んでもよい。たとえば、ユーザがブロック２０２０において手振りを実行し、それがハザード検出器によって検出される場合には、方法２０００はブロック２０３０に進んでもよい。ブロック２０３０では、ユーザ入力が検出されるかまたは他の態様で受信されることに応答して、ブロック２０１０において先に出力されたステータスに関する１つ以上の詳細が与えられてもよく、ブロック２０３０において与えられる１つ以上の詳細は、ブロック２０１０のステータスとは異なるモードを介して与えられてもよい。たとえば、ブロック２０１０において出力されるステータスは、先に記載された発光素子の色、アニメーションおよび／または速度などのような、光の形式においてであったかもしれない。ブロック２０３０の１つ以上のステータス詳細の出力は、音声に基づくメッセージのような、異なるモードを介してであってもよい。ある実施の形態では、ブロック２０３０の１つ以上のステータス詳細は、話し言葉メッセージの形式
で出力される。これは、ハザード検出器が、ローカルの記憶媒体またはリモートサーバのいずれかから、スピーカを介してユーザに対して再生されるべき記録されたメッセージを検索することを伴ってもよい。詳細が出力される一方で、ブロック２０２０で出力されたステータスも出力されてもよく、ステータスは光の形式にあり、詳細は音声の形式にある。ブロック２０３０を実行するための手段は一般的にハザード検出器（または他の形式の装置）を含んでもよい。より具体的には、ブロック２０３０を実行するための手段は、プロセッサのような１つ以上の処理装置と、スピーカのような１つ以上の音声出力装置とを含んでもよい。ブロック２０３０にて出力される１つ以上のステータス詳細は音声以外の何らかの形式で出力されてもよい。たとえば、ハザード検出器が画面を有する場合には、書かれたメッセージまたは図形のインジケータが聴覚的メッセージに加えて、またはそれに代わって呈示されてもよい。
【０１２７】
一例として、ブロック２０１０において、黄色の発光されるステータスがユーザに対して出力されてもよい。ユーザはそのステータスをハザード検出器の発光体によって出力される色およびアニメーションの形式で見て、ハザード検出器が何らかの形の注意を要していることを理解してもよいが、しかしながら、ユーザは、ハザード検出器の正確にはどのような局面が注意を要しているのかは、確信がないかもしれない。ユーザがその状況をそのときに処理することを望まない場合には、ユーザは、単に、身振り手振りなどの入力を与えなくてもよい。しかしながら、ユーザが、ハザード検出器のどのような局面が注意を要しているかに関する１つ以上の詳細を知りたい場合には、ユーザは、ハザード検出器上のボタンを押すか、またはハザード検出器がユーザ入力を監視している予め規定される時間期間中に１つ以上の手振りなどのような身振り手振りを実行することなどによって、入力を与えてもよい。ユーザが入力を与えることに応答して、ステータスについての１つ以上の詳細を含む聴覚的メッセージがハザード検出器によって出力されてもよい。たとえば、メッセージは、「私のバッテリは低い。あなたのご都合のよい最も早いときに交換してください。」と述べてもよい。そのようなメッセージが出力された後、ユーザは、注意を要するハザード検出器の詳細な側面、つまりバッテリは交換される必要があることを理解してもよい。ステータスの同じ指示が、ハザード検出器のさまざまな状態に対して出力されてもよいことが理解されるべきである。ある実施の形態では、ステータスに応答してユーザが入力するだけで、ユーザは、注意を必要とするハザード検出器の局面を正確に知ることができる。
【０１２８】
ユーザ入力がブロック２０２０において受信されたかされなかったかに関わらず、ブロック２０４０において、ハザード検出器は１つ以上の危険について監視し続けてもよい。そのような危険は、煙および／または一酸化炭素を監視することを含んでもよい。さらに、そのような危険を監視することは方法２０００中にわたって生じてもよい。方法２０００の部分が実行されることに関わらず、ハザード検出器の主要な機能は、そのような危険を監視し続けることであってもよい。したがって、方法２０００の間の任意の点において危険が検出される場合には、方法２０００は中断されてもよく、適切な警報が鳴ってもよい。ブロック２０４０を実行するための手段は一般的にハザード検出器（または他の形式の装置）を含んでもよい。より具体的には、ブロック２０４０を実行するための手段は、プロセッサのような１つ以上の処理装置、ならびに煙および／または一酸化炭素センサなどのような１つ以上のセンサを含んでもよい。
【０１２９】
図２１は、ユーザ入力に応答してステータスについての詳細を与えるための方法２１００の実施の形態を示す。方法２１００は、ハザード検出器の状態またはステータスを呈示するために方法１７００〜１９００または何らかの他の方法のうちの１つを実行した後に、ハザード検出器によって実行されてもよい。方法２１００の各ブロックはハザード検出器によって実行されてもよい。方法２１００は図２０の方法２０００の、より詳細な実施形態を表わしてもよい。
【０１３０】
ブロック２１１０は方法１７００〜１９００の結果を表わしてもよい。ブロック２１１０は、ハザード検出器の発光体が発光状態に従って発光されることを必要としてもよく、発光状態はハザード検出器のステータスを示してもよい。たとえば、ブロック２１１０は、方法１７００のブロック１７５０、方法１８００のブロック１８７０、および／または方法１９００のブロック１９４０を表わしてもよい。ブロック２１１０は、さらに、ステータスが出力されることの、何らかの他の指示を表わしてもよい。たとえば、ある実施の形態においてブロック２１１０は、方法１７００〜１９００の少なくとも１つが実行されることなく実行されてもよい。
【０１３１】
ブロック２１２０において、１つ以上のモーション検出器センサが、予め規定される時間期間までの間起動されてもよい。ある実施の形態では、１つ以上のモーション検出器センサは、継続的に、または少なくとも既に起動されている。モーション検出器がブロック２１２０において起動される必要があるかどうかは、ハザード検出器がバッテリによるかまたは構造物電源を介して電力を供給されるかに依存してもよい。たとえば、バッテリによって電力を供給される場合には、バッテリの寿命を延ばすなどのために、電力を節約することが望ましいであろう。
【０１３２】
ブロック２１３０において、ハザード検出器または他の装置は、ブロック２１１０においてステータスが出力されるという指示の後、身振り手振りがユーザによって実行されるのを監視してもよい。ある実施の形態では、ブロック２１３０は、何らかの他の状態が生ずることによってトリガされてもよい。たとえば、照明状態が、ハザード検出器の周囲環境において、しきい値明るさレベルと一致するかまたはそれより低い明るさレベルに到達した（たとえば減少した）ことが、ブロック２１３０に対するトリガとして働いてもよい。身振り手振りを監視することは手振りなどのような具体的な身振り手振りが一回または二回以上実行されること（例えば複数回の手振りが必要とされてもよい）に関してモーション検出センサの出力を監視することを含んでもよい。身振り手振りが検出される場合には、センサは不能化されてもよく、なぜならば、即座の今後のユーザ入力は監視される必要はないからである。ブロック２１３０を実行するための手段は一般的にハザード検出器（または他の形式の装置）を含んでもよい。より具体的には、ブロック２１３０を実行するための手段は、プロセッサのような１つ以上の処理装置と、モーションセンサのような１つ以上のセンサとを含んでもよい。
【０１３３】
ブロック２１４０において、ブロック２１３０において監視されている身振り手振りが実行されたかどうかが判断されてもよい。身振り手振りが実行されない場合には、方法２１４０はブロック２１６０に進んでもよい。身振り手振りが実行されたと判断される場合には、方法２１００はブロック２１５０に進んでもよい。ブロック２１３０を実行するための手段は一般的にハザード検出器（または他の形式の装置）を含んでもよい。より具体的には、ブロック２１４０を実行するための手段は、プロセッサのような１つ以上の処理装置を含んでもよい。
【０１３４】
ブロック２１５０および２１６０は方法２０００のブロック２０３０および２０４０と同様に実行されてもよい。したがって、身振り手振りが検出される場合には、ユーザは、ハザード検出器のステータスに関する１つ以上の詳細を与えられる。身振り手振りが検出されない場合には、ハザード検出器は、１つ以上のステータス詳細を出力することなく、危険を監視し続ける。
【０１３５】
図２２は、ステータスを、ユーザ入力およびそのステータスの重要度に基づいて出力するための方法２２００の実施の形態を示す。方法２２００は、方法１７００、１８００、２０００または２１００の代替的実施の形態またはより詳細な実施の形態を表わしてもよ
い。方法２２００は、図１〜図６との関係において詳述されるハザード検出器および／または他の装置のようなハザード検出器によって実行されてもよいさまざまなブロックを表わす。方法２２００のブロックは図１７〜図２０との関係において詳述される他の方法の一部として実行されてもよいことが理解されるべきである。
【０１３６】
ブロック２２０５において、ハザード検出器の１つ以上のコンポーネントのステータスチェックが実行されてもよい。ある実施の形態では、ブロック２２０５の一部として実行されるステータスチェックは、方法１７００のブロック１７２０（およびしたがってブロック１７１０）のような、他のブロックが実行されることに応答して実行される。ブロック２２０５の結果、ブロック１７３０との関連において論じられるものと同様の解析がもたらされてもよい。ブロック２２０５のステータスチェックは、重大ステータスチェックおよび非重大ステータスチェックの解析に分割されてもよい。非重大ステータスチェックは、バッテリが第１のしきい値充電レベルよりも低いかどうか判断すること、メッセージがハザード検出器とリンクされるユーザアカウントと関連付けられる状態でリモートサーバに存在すること、ハザード検出器がインターネットから切断されていること（そして以前は接続されていたこと）、ハザード検出器が構造物の電源から切断されていること（および以前は接続されていたこと）ならびに／または何らかの他の問題が生じたこと（英数字コードがそのような他の問題に与えられてもよい）を含んでもよい。重大ステータスチェックは、ハザード検出器の耐用年数が切れたかどうかを判断すること、ハザード検出器が故障したかどうかを判断すること、および／またはバッテリ充電レベルが（非重大バッテリ充電レベルと関連付けられる第１のしきい値よりも低い充電レベルを表わす）第２のしきい値より下であるかどうかを判断することを含んでもよい。
【０１３７】
ブロック２２１０において、どのようなステータスチェックも、重大または非重大ステータスが否定的な結果を有する結果とならない場合には、方法２２００はブロック２２１５に進んでもよい。このブロックでは、重大または非重大ステータスがないという視覚的指示が、パルスアニメーションなどのような穏やかなアニメーションを用いるハザード検出器の発光体の緑色の発光などのように、出力されてもよい。ブロック２２１５の後、ハザード検出器は、ステータスに関連するボタンの押圧または身振り手振りなどのようなユーザの入力を監視しなくてもよく、ブロック２２２０に進んで危険を監視し続けてもよい。
【０１３８】
ブロック２２１０において、ステータスチェックが、重大または非重大ステータスが否定的な結果を有する結果となる場合には（たとえばセンサが故障する、バッテリが低い、インターネット接続が失われるなど）、方法２２００はブロック２２２５に進んでもよい。ブロック２２２５では、ステータスチェックが重大ステータスをもたらす結果となった場合には、方法２２００はブロック２２３５に進んでもよい。ブロック２２３５では、重大ステータスを示す聴覚的警告ステータスが出力されてもよい。聴覚的警告ステータスは合成または記録された話し言葉メッセージを含んでもよい。警告メッセージは、黄色などのような警告を示す色を用いるハザード検出器の発光体の発光を伴ってもよい。高速パルス状の黄色い光のようなアニメーションを用いて、ユーザを、危険な状況に対して警戒させてもよい。
【０１３９】
ブロック２２２５に戻って、ステータスチェックの結果、非重大ステータスであった場合には、方法２２００はブロック２２３０に進んでもよい。ブロック２２３０では、非重大ステータスを示す純粋に視覚的な警告ステータスが出力されてもよい。警告ステータスは、黄色などのような警告を示す色を用いるハザード検出器の発光体の発光であってもよい。低速のパルス状の黄色い光などのようなアニメーションを用いて、ユーザに、準危険な状況に対して警戒させてもよい。正確な非重大警告を知るためには、ユーザはユーザ入力を与えることを必要とされてもよい。
【０１４０】
ブロック２２４０では、ハザード検出器のボタンの押圧（かまたはハザード検出器上の何らかの他の物理的な装置の起動）の形式におけるような、または身振り手振りが実行されることによってのような、ユーザ入力が、予め規定される時間期間までの間、ハザード検出器によって監視されてもよい。たとえば、ハザード検出器は、ブロック２２３０または２２３５における出力されたステータスに応答して、３０秒間の間入力を監視してもよい。ユーザの存在が検出された場合には、ハザード検出器の発光体を点灯して、発光されるかまたはパルス状の青色によってのように、そのような存在を示してもよい。ブロック２２４５において、入力が受信されたかどうかを判断してもよい。入力が受信されない場合には、方法２２００はブロック２２２０に進んでもよい。入力が受信された場合には、ブロック２２５０が実行されてもよい。
【０１４１】
ブロック２２５０では、重大および／または非重大ステータスが聴覚的メッセージを介して出力されてもよい。そのようなメッセージは、記録または合成された音声がハザード検出器によって出力されることを含んでもよい。ステータスが非重大であった場合には、ブロック２２５０が、ステータスが音声を介して出力される１回目である。ステータスが重大である場合には、ブロック２２５０は（ブロック２２３５のため）ステータスが音声を介して出力される少なくとも２回目を表わしてもよい。聴覚的出力は、黄色などのような警告を示す色を用いるハザード検出器の発光体の発光を伴ってもよい。（非重大ステータスに対しては）低速の、または（重大ステータスに対しては）高速のパルス状の黄色い光などのようなアニメーションを用いて、ユーザを、ステータスに対して警戒させてもよい。ブロック２２５０の後、方法２２００はブロック２２４５に戻って、ステータスが繰り返されることをユーザが欲しているかどうかなど、さらなるユーザ入力が受信されるかどうかを見てもよい。ブロック２２４０が実行されていた間に身振り手振りまたはボタンの押圧がユーザによって実行されたかどうかは、どのようにハザード検出器の発光体がブロック２２５０において点灯されるかを変えてもよい。たとえば、ボタンの押圧がブロック２２４０において受信される場合には、発光体は青色に点灯され、高速でパルス化されてもよく、身振り手振りがブロック２２４０において検出された場合には、発光体は、（身振り手振りが検出されたという肯定応答として働いてもよい）黄色の波状アニメーションを出力してもよい。
【０１４２】
図２３を参照して、特定目的コンピュータシステム２３００の実施の形態が示される。たとえば、１つ以上のインテリジェントなコンポーネント、処理エンジン２０６、およびそのコンポーネントが、特定目的コンピュータシステム２３００であってもよい。そのような特定目的コンピュータシステム２３００は、ハザード検出器、および／またはリモートサーバ、スマートサーモスタットもしくはネットワークなどのような、ここに論じられる他のコンピュータ化された装置のうちの任意のものの一部として組込まれてもよい。上記の方法は、コンピュータシステムに命じて、上記の方法およびコンポーネントのアクションを実行させるコンピュータプログラム製品によって実現されてもよい。各そのようなコンピュータプログラム製品は、コンピュータシステムのプロセッサに命じて対応のアクションを実行させるコンピュータ読取可能媒体において実施される命令（コード）のセットを含んでもよい。命令は、シーケンシャルな順序で、または（異なる処理スレッド下におけるように）並列で、またはそれらの組合せにおいて実行されるよう構成されてもよい。コンピュータプログラム製品を汎用コンピュータシステム２３２６にロードした後、それは特別目的コンピュータシステム２３００に変換される。
【０１４３】
特別目的コンピュータシステム２３００は、コンピュータ２３０２と、コンピュータ２３０２に結合されるモニタ２３０６と、コンピュータ２３０２に（選択肢的に）結合される１つ以上のさらなるユーザ出力装置２３３０と、コンピュータ２３０２に結合される（たとえばキーボード、マウス、トラックボール、タッチスクリーンなどのような）１つ以
上のユーザ入力装置２３４０と、コンピュータ２３０２に結合される選択肢的な通信インターフェイス２３５０と、コンピュータ２３０２における有形のコンピュータ読取可能メモリに記憶されるコンピュータプログラム製品２３０５とを含む。コンピュータプログラム製品２３０５は、コンピュータシステム２３００に命じて上記の方法を実行させる。コンピュータ２３０２は、バスサブシステム２３９０を介して多数の周辺装置と通信する１つ以上のプロセッサ２３６０を含んでもよい。これらの周辺装置は、ユーザ出力装置２３３０、ユーザ入力装置２３４０、通信インターフェイス２３５０、ならびに有形のコンピュータ読取可能メモリの形式である（たとえばディスクドライブ、光学ドライブ、ソリッドステートドライブなど）ランダムアクセスメモリ（ＲＡＭ）２３７０および不揮発性記憶ドライブ２３８０などのような記憶サブシステムを含んでもよい。
【０１４４】
コンピュータプログラム製品２３０５は、不揮発性記憶ドライブ２３８０またはコンピュータ２３０２にアクセス可能な別のコンピュータ読取可能媒体に記憶され、ランダムアクセスメモリ（ＲＡＭ）２３７０にロードされてもよい。各プロセッサ２３６０は、Intel（登録商標）またはAdvanced Micro Devices, Inc（登録商標）からのマイクロプロセッサのような、マイクロプロセッサを含んでもよい。コンピュータプログラム製品２３０５をサポートするために、コンピュータ２３０２は、コンピュータプログラム製品２３０５の上記のコンポーネントとの通信、およびコンピュータプログラム製品２３０５のサポートにおいて上記のコンポーネント間の通信を処理するオペレーティングシステムを実行する。例示的なオペレーティングシステムは、Microsoft CorporationからのWindows（登録商標）、Sun MicrosystemsからのSolaris（登録商標）、LINUX（登録商標）、UNIX（登録商標）を含む。
【０１４５】
ユーザ入力装置２３４０は、コンピュータ２３０２に情報を入力するのに、すべての考えられ得るタイプの装置および機構を含む。これらは、キーボード、キーパッド、マウス、スキャナ、デジタル描画パッド、ディスプレイに組込まれるタッチスクリーン、音声認識システムのような音声入力装置、マイクロフォン、および他のタイプの入力装置を含んでもよい。さまざまな実施の形態においては、ユーザ入力装置２３４０は、典型的には、コンピュータマウス、トラックボール、トラックパッド、ジョイスティック、無線リモート、描画タブレット、音声コマンドシステムとして実施される。ユーザ入力装置２３４０は、典型的には、ユーザが、ボタンのクリックなどのコマンドを介して、モニタ２３０６上に現われるオブジェクト、アイコン、テキストなどを選択することを可能にする。ユーザ出力装置２３３０は、コンピュータ２３０２から情報を出力するのに、すべての考えられ得るタイプの装置および機構を含む。これらは、ディスプレイ（たとえばモニタ２３０６）、プリンタ、音声出力装置のような非視覚的ディスプレイなどを含んでもよい。
【０１４６】
通信インターフェイス２３５０は、インターフェイスを通信ネットワーク２３９５のような他の通信ネットワークおよび装置に与え、他のシステム、ＷＡＮおよび／またはインターネットとの間でデータを送受信するようインターフェイスとして働いてもよい。通信インターフェイス２３５０の実施の形態は、典型的には、イーサネット（登録商標）カード、モデム（電話、衛星、ケーブル、ＩＳＤＮ）、（非同期）デジタル加入者ライン（ＤＳＬ）ユニット、FireWire（登録商標）インターフェイス、ＵＳＢ（登録商標）インターフェイス、無線ネットワークアダプタなどを含む。たとえば、通信インターフェイス２３５０は、コンピュータネットワーク、FireWire（登録商標）バスなどに結合されてもよい。他の実施の形態では、通信インターフェイス２３５０はコンピュータ２３０２のマザーボード上に物理的に統合されてもよく、および／またはソフトウェアプログラムなどであってもよい。
【０１４７】
ＲＡＭ２３７０および不揮発性記憶ドライブ２３８０は、実行可能なコンピュータコード、人間が読取可能なコードなどを含む、この発明のコンピュータプログラム製品実施の
形態などのようなデータを記憶するよう構成される有形のコンピュータ読取可能媒体の例である。他のタイプの有形のコンピュータ読取可能媒体は、フロッピーディスク、リムーバブルハードディスク、ＣＤ−ＲＯＭ、ＤＶＤ、バーコードなどのような光記憶媒体、フラッシュメモリ、リードオンリメモリ（ＲＯＭ）などのような半導体メモリ、バッテリ補助された揮発性メモリ、ネットワーク接続された記憶装置、などを含む。ＲＡＭ２３７０および不揮発性記憶ドライブ２３８０は、上記のように、この発明のさまざまな実施の形態の機能を与える基本的なプログラミングおよびデータ構築物を記憶するよう構成されてもよい。
【０１４８】
この発明の機能を提供するソフトウェア命令セットはＲＡＭ２３７０および不揮発性記憶ドライブ２３８０に記憶されてもよい。これらの命令セットまたはコードはプロセッサ２３６０によって実行されてもよい。ＲＡＭ２３７０および不揮発性記憶ドライブ２３８０は、さらに、この発明に従って用いられるデータおよびデータ構造を記憶するようデポジトリを与えてもよい。ＲＡＭ２３７０および不揮発性記憶ドライブ２３８０は、プログラム実行中に命令およびデータを記憶するメインランダムアクセスメモリ（ＲＡＭ）、および固定された命令が記憶されるリードオンリメモリ（ＲＯＭ）を含む、ある数のメモリを含んでもよい。ＲＡＭ２３７０および不揮発性記憶ドライブ２３８０は、プログラムおよび／またはデータファイルの永続的な（不揮発性の）記憶を提供するファイル記憶サブシステムを含んでもよい。ＲＡＭ２３７０および不揮発性記憶ドライブ２３８０は、さらに、リムーバブルフラッシュメモリなどのようなリムーバブル記憶システムを含んでもよい。
【０１４９】
バスサブシステム２３９０は、コンピュータ２３０２のさまざまなコンポーネントおよびサブシステムが意図されるように互いと通信することを可能にする機構を提供する。バスサブシステム２３９０は概略的に単一のバスとして示されているが、バスサブシステムの代替的実施の形態はコンピュータ２３０２内において複数のバスまたは通信経路を利用してもよい。
【０１５０】
上に論じられた方法、システムおよび装置は単に例として意図されることが注記されるべきである。さまざまな実施の形態は、さまざまな手順またはコンポーネントを適切に省略、置換または追加してもよいことが強調されなければならない。たとえば、代替的実施の形態では、方法は、記載されるものとは異なる順序で実行されてもよいこと、およびさまざまなステップが追加、省略または組合せられてもよいことが理解されるべきである。さらに、ある実施の形態に関して記載される特徴はさまざまな他の実施の形態と組合せられてもよい。実施の形態の異なる局面および要素は同様の態様で組合せられてもよい。さらに、技術は発展するものであり、したがって、要素の多くは例示であり、この発明の範囲を限定するように解釈されるべきではないことも強調されるべきである。
【０１５１】
特定の詳細が、実施の形態に対する十分な理解を与えるために本記載において与えられている。しかしながら、当業者には、実施の形態はこれらの具体的な詳細なしに実施されてもよいことが理解されるであろう。たとえば、周知のプロセス、構造、および技術は、実施の形態を曖昧にすることを回避するため、不要な詳細を伴わずに示されている。本記載は、例示的な実施の形態のみを記載しており、この発明の範囲、適用性または構成を限定するようには意図されない。むしろ、先の実施の形態の記載は、当業者に対して、この発明の実施の形態を実施するための実施可能な記載を与えることになる。さまざまな変更が、この発明の精神および範囲を逸脱することなく、要素の機能および構成においてなされてもよい。
【０１５２】
ハザード検出器のための適時における直感的なステータス信号送信のための記載される方法およびシステムは、特定の装置の文脈の観点において特に有利であり、なぜならば、
ハザード検出器は重要な生命安全装置を表わし、ハザード検出器は家屋中の多数の部屋に配置されそうであり、ハザード検出器は、光スイッチの近くからを含む、これらの部屋における多数の場所から見るためにうまく位置決めされそうであり、およびハザード検出器は通常は完全なオンデバイスのグラフィカルユーザインターフェイスを有さないことになるものの、グラフィカルではないがシンプルな、視覚に訴えるオンデバイスのユーザインターフェイス要素（たとえば形状化されたオンデバイスの照明を伴うシンプルな押圧可能なボタンなど）を極めて容易に外付けされることができるからであり、ならびに、さらに、最小の量の電力を用いるステータス通信に対してそれを望ましくするバッテリのみのハザード検出器の場合に対する電力制限に鑑みて特に有利であるが、この発明の範囲はそのように限定されるものではない。むしろ、適時における直感的なステータス信号送信のための記載された方法およびシステムは、先の図１５との関連において記載され、サーモスタット、環境センサ、モーションセンサ、占有センサ、新生児モニタ、リモートコントローラ、キーフォブリモートコントローラ、スマートホームハブ、セキュリティキーパッド、バイオメトリックアクセスコントローラ、他のセキュリティ装置、カメラ、マイクロフォン、スピーカ、飛行時間に基づくＬＥＤ位置／モーション検知アレイ、ドアベル、インターコム装置、スマート光スイッチ、スマートドアロック、ドアセンサ、窓センサ、一般的なプログラマブル無線制御ボタン、夜間灯およびムード照明を含む照明設備、スマート器具、娯楽装置、ホームサービスロボット、ガレージドア開閉機、ドア開閉機、窓シェードコントローラ、他の機械的な起動装置、ソーラパワーアレイ、屋外通路照明、灌漑設備、芝生手入れ設備、他のスマートホーム装置を含むがそれらに限定はされないもののようなさまざまなスマートホーム装置の任意のものに対して広く適用可能である。そのようなスマートホーム装置の任意のものに対して広く適用可能であるが、ここに記載される方法およびシステムの１つ以上は、（たとえばグラフィカルユーザインターフェイスを伴わずに）より制限されたオンデバイスのユーザインターフェイス能力を有し得る装置の文脈で適用されるときおよび／または住宅内において相対的に容易に見ることができる位置および／または十分に移動可能な位置に位置しながら、最小の量の電力を用いるステータス通信に対してそれを望ましくする電力制限を有する場合に、ますます有用になる。この開示を読めば、当業者であれば、この発明の方法およびシステムを、上に記載されるスマートホーム装置の１つ以上の文脈において適用し得るであろう。さらに、実施の形態は、フロー図またはブロック図として図示されるプロセスとして記載されてもよいことが注記されるべきである。各々は動作をシーケンシャルなプロセスとして記載してもよいが、動作の多くは並列または同時に実行され得る。加えて、動作の順序は再配置されてもよい。プロセスは、図に含まれない追加のステップを有してもよい。
【０１５３】
ハザード検出器のための適時における直感的なステータス信号送信のための記載された方法およびシステムは、ネットワーク接続されたハザード検出器に対して特に有利であり、なぜならば、ステータス通信は、本質的なハザード検出器ステータス、ならびにハザード検出器が他のホーム装置、クラウドサービス、または任意の他のネットワーク接続もしくはインターネット接続されたデータソースから受信し得るかもしれない任意の非ハザード検出器関連ステータス情報の両方に関し得るからである。したがって、例示として、本願において上記に与えられる例に加えて、ハザード検出器は、住宅内において、ある顕著なセキュリティ状態がある場合（たとえば階下の窓が開いている、裏のガレージドアがロックされていないなどの場合）、または住宅内に、ある注意すべきメンテナンス状態がある（たとえばＨＶＡＣフィルタが交換を必要としている、玄関ポーチのランプの電球が取替えを必要としているなど）の場合、または住宅内における何らかの他の注意すべきステータス、状態、活動パターン、もしくは同時の活動がある場合（たとえば居間のテレビが点いているが、その居間には２０分の間誰もいない場合や、飼い犬が裏口に１５分間立っている場合など）に、警告を与える色ステータスを与えることが考えられる。しかしながら、スタンドアローンのネットワーク接続されないハザード検出器であって、それ自体のステータスをユーザに対して適時に単純に通信し、オプションとして、ユーザからの身振
り手振り、声などによるフォローアップの合図を探し、要求に応じてそれ自体のステータスについてのさらなる情報を提供するハザード検出器を提供することは、本教示の範囲内にある。いくつかの実施の形態を記載したが、当業者には、さまざまな修正物、代替的構築物、および均等物がこの発明の精神から逸脱することなく用いられ得ることが認識される。たとえば、上記の要素は、単に、より大きなシステムのコンポーネントであってもよく、他の規則が、この発明の適用に対して先行するか、またはそうでなければそれを修正してもよい。さらに、数多くのステップが、上記の要素が考慮される前、間、または後に取られてもよい。したがって、上の記載はこの発明の範囲を限定するようにとられるべきではない。
【図１】
2019125377.tif 000003
【図２】
2019125377.tif 000004
【図３】
2019125377.tif 000005
【図４】
2019125377.tif 000006
【図５】
2019125377.tif 000007
【図６】
2019125377.tif 000008
【図７】
2019125377.tif 000009
【図８Ａ】
2019125377.tif 000010
【図８Ｂ】
2019125377.tif 000011
【図８Ｃ】
2019125377.tif 000012
【図８Ｄ】
2019125377.tif 000013
【図９Ａ】
2019125377.tif 000014
【図９Ｂ】
2019125377.tif 000015
【図１０】
2019125377.tif 000016
【図１１】
2019125377.tif 000017
【図１２】
2019125377.tif 000018
【図１３】
2019125377.tif 000019
【図１４】
2019125377.tif 000020
【図１５】
2019125377.tif 000021
【図１６Ａ】
2019125377.tif 000022
【図１６Ｂ】
2019125377.tif 000023
【図１７】
2019125377.tif 000024
【図１８】
2019125377.tif 000025
【図１９】
2019125377.tif 000026
【図２０】
2019125377.tif 000027
【図２１】
2019125377.tif 000028
【図２２】
2019125377.tif 000029
【図２３】
2019125377.tif 000030
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
ハザード検出器であって、
少なくとも１つのタイプの危険の存在を検出する少なくとも１つのハザード検出センサと、
前記ハザード検出器の周囲環境において動作を検出するモーション検出センサと、
スピーカと、
複数の照明要素を含む発光体と、
前記少なくとも１つのハザード検出センサ、前記モーション検出センサ、および前記発光体と作動的通信状態において提供される処理システムとを含み、前記処理システムは、
複数の発光状態から、ある発光状態を選択するよう構成され、前記複数の発光状態の各発光状態は前記ハザード検出器と関連付けられるステータスに割当てられ、前記処理システムはさらに、
前記発光体を、前記複数の発光状態のうちの前記選択された発光状態に基いて発光させ、
前記発光体が前記選択された発光状態に基いて発光された後、前記ハザード検出器の前記周囲環境で前記モーション検出センサによって検出される動作の解析に基いて、身振り手振りが実行されたと判断し、
前記身振り手振りが実行されたと判断されることに応答して、前記スピーカを介して前記発光状態に対応する前記ステータスの詳細を出力するよう構成される、ハザード検出器。
【請求項２】
前記ハザード検出器の前記周囲環境における明るさレベルを検知する光センサをさらに含む、請求項１に記載のハザード検出器。
【請求項３】
前記処理システムは、さらに、
前記光センサから前記ハザード検出器の前記周囲環境における前記明るさレベルの指示を受信し、
前記ハザード検出器の前記周囲環境における前記明るさレベルがしきい値に低減したと判断し、
前記ハザード検出器の前記周囲環境における前記明るさレベルが前記しきい値に到達したことに応答して、前記モーション検出センサを起動するよう構成される、請求項２に記載のハザード検出器。
【請求項４】
前記処理システムは、さらに、
起動後、予め規定される時間期間までの間、前記モーション検出センサを用いて、前記身振り手振りに関して監視するよう構成される、請求項３に記載のハザード検出器。
【請求項５】
前記ハザード検出器に電力を供給するオンボードのバッテリモジュールをさらに含み、
前記モーション検出センサはもっぱら前記オンボードのバッテリモジュールによって電力を供給される、請求項４に記載のハザード検出器。
【請求項６】
前記発光状態は前記ハザード検出器の前記オンボードのバッテリモジュールの低バッテリステータスを示す、請求項５に記載のハザード検出器。
【請求項７】
前記スピーカによって出力される前記ステータスの前記詳細は話し言葉の聴覚的なメッセージである、請求項１〜６のいずれか１項に記載のハザード検出器。
【請求項８】
前記身振り手振りが実行されたと判断するよう前記処理システムが構成されることは、
複数の手振りが前記ハザード検出器の前記周囲環境においてユーザによって前記身振り手振りとして実行されたと判断するよう前記処理システムが構成されることを含む、請求項１〜７のいずれか１項に記載のハザード検出器。
【請求項９】
前記少なくとも１つのハザード検出センサは煙検出センサおよび一酸化炭素検出センサを含む、請求項１〜８のいずれか１項に記載のハザード検出器。
【請求項１０】
ハザード検出器がステータス詳細を出力するための方法であって、
前記ハザード検出器によって、複数の発光状態から、ある発光状態を選択することを含み、前記複数の発光状態の各発光状態は前記ハザード検出器と関連付けられるステータスに割当てられ、前記方法はさらに、
前記ハザード検出器によって、前記ハザード検出器の発光体を、前記複数の発光状態のうちの前記選択された発光状態に基いて発光させることと、
前記発光体が前記選択された発光状態に基いて発光された後、前記ハザード検出器の周囲環境で検出される動作の解析に基いて、身振り手振りが実行された、と前記ハザード検出器によって、判断することと、
前記身振り手振りが実行されたと判断されることに応答して、スピーカを介して前記発光状態に対応する前記ステータスの詳細を、前記ハザード検出器によって出力することとを含む、ハザード検出器がステータス詳細を出力するための方法。
【請求項１１】
前記ハザード検出器によって、光センサから前記ハザード検出器の前記周囲環境における明るさレベルを検知することと、
前記ハザード検出器によって、前記ハザード検出器の前記周囲環境における前記明るさレベルはしきい値に低減したと判断することと、
前記ハザード検出器の前記周囲環境における前記明るさレベルが前記しきい値に到達したことに応答して、モーション検出センサを前記ハザード検出器によって起動することとをさらに含む、請求項１０に記載のハザード検出器がステータス詳細を出力するための方法。
【請求項１２】
複数の手振りが前記ハザード検出器の前記周囲環境においてユーザによって前記身振り手振りとして実行された、と前記ハザード検出器によって判断することをさらに含む、請求項１０または１１に記載のハザード検出器がステータス詳細を出力するための方法。
【請求項１３】
起動後、予め規定される時間期間までの間、前記ハザード検出器によって、前記身振り手振りに関して監視することをさらに含む、請求項１０〜１２のいずれか１項に記載のハザード検出器がステータス詳細を出力するための方法。
【請求項１４】
前記ハザード検出器に含まれる少なくとも１つのハザード検出センサは、煙および一酸化炭素を検出する、請求項１０〜１３のいずれか１項に記載のハザード検出器がステータス詳細を出力するための方法。
【請求項１５】
スマートホーム装置がステータス詳細を出力するための方法であって、
前記スマートホーム装置によって、複数の発光状態から、ある発光状態を選択することを含み、前記複数の発光状態の各発光状態は前記スマートホーム装置と関連付けられるステータスに割当てられ、前記方法はさらに、
前記スマートホーム装置によって、前記スマートホーム装置の発光体を、前記複数の発光状態のうちの前記選択された発光状態に基いて発光させることと、
前記発光体が前記選択された発光状態に基いて発光された後、前記スマートホーム装置の周囲環境で検出される動作の解析に基いて、身振り手振りが実行された、と前記スマートホーム装置によって、判断することと、
前記身振り手振りが実行されたと判断されることに応答して、スピーカを介して前記発光状態に対応する前記ステータスの詳細を、前記スマートホーム装置によって出力することとを含む、スマートホーム装置がステータス詳細を出力するための方法。
【請求項１６】
ハザード検出器装置であって、
複数の発光状態から、ある発光状態を選択するための手段を含み、前記複数の発光状態の各発光状態は前記ハザード検出器装置と関連付けられるステータスに割当てられ、前記ハザード検出器装置はさらに、
前記ハザード検出器装置の発光手段を、前記複数の発光状態のうちの前記選択された発光状態に基いて発光させるための手段と、
照明手段が前記選択された発光状態に基いて発光された後、前記ハザード検出器装置の周囲環境で検出される動作の解析に基いて、身振り手振りが実行されたと判断するための手段と、
前記身振り手振りが実行されたと判断されることに応答して、聴覚的手段を介して前記発光状態に対応する前記ステータスの詳細を出力するための手段とを含む、ハザード検出器装置。
【請求項１７】
光センサから前記ハザード検出器装置の前記周囲環境における明るさレベルを検知するための手段と、
前記ハザード検出器装置の前記周囲環境における前記明るさレベルがしきい値に低減したと判断するための手段と、
前記ハザード検出器装置の前記周囲環境における前記明るさレベルが前記しきい値に到達したことに応答して、モーション検出手段を起動するための手段とをさらに含む、請求項１６に記載のハザード検出器装置。
【請求項１８】
複数の手振りが前記ハザード検出器装置の前記周囲環境においてユーザによって前記身振り手振りとして実行されたと判断するための手段をさらに含む、請求項１６または１７に記載のハザード検出器装置。
【請求項１９】
起動後、予め規定される時間期間までの間、前記身振り手振りに関して監視するための手段をさらに含む、請求項１６〜１８のいずれか１項に記載のハザード検出器装置。
【請求項２０】
前記ハザード検出器装置に電力を供給するための手段をさらに含み、
前記ハザード検出器装置に電力を供給するための前記手段は、前記ハザード検出器装置内において電力を蓄えるよう用いられる、請求項１６〜１９のいずれか１項に記載のハザード検出器装置。
【請求項２１】
煙を検出するための手段と、一酸化炭素を検出するための手段とをさらに含む、請求項１６〜２０のいずれか１項に記載のハザード検出器装置。
【請求項２２】
請求項１０から１５のいずれか１項に記載の方法をコンピュータに実行させるためのコンピュータプログラム。
【請求項２３】
スマートホーム装置であって、
状況を検出する少なくとも１つのセンサと、
前記スマートホーム装置の周囲環境において動作を検出するモーション検出センサと、
スピーカと、
複数の照明要素を含む発光体と、
前記少なくとも１つのセンサ、前記モーション検出センサ、および前記発光体と作動的通信状態において提供される処理システムとを含み、前記処理システムは、
複数の発光状態から、ある発光状態を選択するよう構成され、前記複数の発光状態の各発光状態は前記スマートホーム装置と関連付けられるステータスに割当てられ、前記処理システムはさらに、
前記発光体を、前記複数の発光状態のうちの前記選択された発光状態に基いて発光させ、
前記発光体が前記選択された発光状態に基いて発光された後、前記スマートホーム装置の前記周囲環境で前記モーション検出センサによって検出される動作の解析に基いて、身振り手振りが実行されたと判断し、
前記身振り手振りが実行されたと判断されることに応答して、前記スピーカを介して前記発光状態に対応する前記ステータスの詳細を出力するよう構成される、スマートホーム装置。
【請求項２４】
スマートホーム機器であって、
複数の発光状態から、ある発光状態を選択するための手段を含み、前記複数の発光状態の各発光状態は前記スマートホーム機器と関連付けられるステータスに割当てられ、前記スマートホーム機器はさらに、
前記スマートホーム機器の発光手段を、前記複数の発光状態のうちの前記選択された発光状態に基いて発光させるための手段と、
照明手段が前記選択された発光状態に基いて発光された後、前記スマートホーム機器の周囲環境で検出される動作の解析に基いて、身振り手振りが実行されたと判断するための手段と、
前記身振り手振りが実行されたと判断されることに応答して、聴覚的手段を介して前記選択された発光状態に対応する前記ステータスの詳細を出力するための手段とを含む、スマートホーム機器。
【外国語明細書】
2019125377000001.pdf